(57)【要約】本発明は、高速無線パケットデータの通信システムで自動再伝送を支援するための方法及び装置に関する。無線端末は、無線パケットデータの通信システムで伝送しようとする符号化パケットを符号化したビットストリームを分割して生成した複数のサブパケットのうち１つのサブパケットを受信すると同時に、前記サブパケットの順序を示すサブパケット識別子(ＳＰ＿ＩＤ)及び前記符号化パケットサイズ(ＥＰ＿ＳＩＺＥ)と新たな符号化パケットの伝送ごとにトグルされるシーケンス識別子(ＡＩ＿ＳＮ)を含む制御情報を受信し、前記制御情報によって前記サブパケットに対して初期伝送に従う復号処理を遂行するか、または再伝送に従う復号処理を遂行するかを決定する。このような本発明は、複合自動再伝送(Ｈ−ＡＲＱ)を効率的に遂行してシステムの処理率を向上させ、サービスの処理速度を増加させる。
2005523669.tif 000002
【特許請求の範囲】
【請求項１】
無線パケットデータの通信システムで伝送しようとする符号化パケットを符号化したビットストリームを分割して生成した複数のサブパケットのうち１つのサブパケットを受信すると同時に、前記サブパケットの順序を示すサブパケット識別子(ＳＰ＿ＩＤ)及び前記符号化パケットのサイズ(ＥＰ＿ＳＩＺＥ)と新たな符号化パケットの伝送のときごとにトグルされるシーケンス識別子(ＡＩ＿ＳＮ)とを含む制御情報を受信して前記符号化パケットに対応する前記サブパケットを受信する自動再伝送方法であって、
前記シーケンス識別子及び前記符号化パケットサイズのすべてが以前に受信したシーケンス識別子及び符号化パケットサイズと同一ではない場合に、前記受信したサブパケットに対して初期伝送に従う復号処理を遂行して前記符号化パケットを発生するステップと、
前記シーケンス識別子及び前記符号化パケットのサイズが以前に受信したシーケンス識別子及び符号化パケットサイズと同一であり、以前に受信したサブパケットに対して肯定応答(ＡＣＫ)を伝送しない場合に、前記受信したサブパケットに対して再伝送に従う復号処理を遂行して前記符号化パケットを発生するステップと、を備えることを特徴とする方法。
【請求項２】
前記シーケンス識別子及び前記符号化パケットのサイズが以前に受信したシーケンス識別子及び符号化パケットのサイズとすべて同一であり、以前に受信したサブパケットに対して肯定応答(ＡＣＫ)を伝送した場合に、前記サブパケット識別子が初期伝送を示す値であるか否かを判断するステップと、
前記サブパケット識別子が初期伝送を示す値ではなければ、前記受信したサブパケットに対して再伝送に従う復号処理を遂行して前記符号化パケットを発生するステップと、をさらに備える請求項１記載の方法。
【請求項３】
前記サブパケット識別子が初期伝送を示す値であれば、前記受信したサブパケットに対して初期伝送に従う復号処理を遂行して前記符号化パケットを発生するステップをさらに備える請求項２記載の方法。
【請求項４】
前記初期伝送に従う復号処理を遂行するステップは、
前記符号化パケットに対する受信回数を０に設定し、バッファを一掃するステップと、
前記受信したサブパケットを前記バッファに貯蔵した後に、前記貯蔵されているサブパケットを復号して前記符号化パケットを発生するステップと、
前記符号化パケットでエラーが発生すると、前記受信回数を１だけ増加させるステップと、から構成される請求項１記載の方法。
【請求項５】
前記再伝送に従う復号処理を遂行するステップは、
前記受信したサブパケットを前記バッファにすでに貯蔵されているサブパケットと結合して前記バッファにさらに貯蔵するステップと、
前記結合されて貯蔵されたサブパケットを復号して前記符号化パケットを発生するステップと、
前記符号化パケットでエラーが発生すると、前記受信回数を１だけ増加させ、前記受信回数が予め定められた最大受信回数に到達したか否かを確認するステップと、
前記受信回数が前記最大受信回数に到達すると、前記バッファを一掃するステップと、から構成される請求項４記載の方法。
【請求項６】
前記符号化パケットにエラーが発生したか否かを判断して、エラーが発生しなかったら肯定応答(ＡＣＫ)を伝送し、エラーが発生したら否定応答(ＮＡＫ)を伝送するステップをさらに備える請求項５記載の方法。
【請求項７】
無線パケットデータの通信システムで伝送しようとする符号化パケットを符号化したビットストリームを分割して生成した複数のサブパケットのうち１つのサブパケットを受信すると同時に、前記サブパケットの順序を示すサブパケット識別子(ＳＰ＿ＩＤ)及び前記符号化パケットのサイズ(ＥＰ＿ＳＩＺＥ)と新たな符号化パケットの伝送のときごとにトグルされるシーケンス識別子(ＡＩ＿ＳＮ)を含む制御情報を受信して前記符号化パケットに対応する前記サブパケットを受信する自動再伝送方法において、
前記サブパケット識別子が初期伝送を示す値であるか否かを判断するステップと、
前記サブパケット識別子が初期伝送を示す値であり、前記シーケンス識別子及び前記符号化パケットサイズのすべてが以前に受信したシーケンス識別子及び符号化パケットサイズと同一ではなければ、前記受信したサブパケットに対して初期伝送に従う復号処理を遂行して前記符号化パケットを発生するステップと、
前記サブパケット識別子が初期伝送を示す値ではなく、前記シーケンス識別子及び前記符号化パケットサイズのすべてが以前に受信したシーケンス識別子及び符号化パケットサイズと同一であれば、前記受信したサブパケットに対して再伝送に従う復号処理を遂行して前記符号化パケットを発生するステップと、を備えることを特徴とする方法。
【請求項８】
前記初期伝送に従う復号処理を遂行するステップは、
前記符号化パケットに対する受信回数を０に設定し、バッファを一掃するステップと、
前記受信したサブパケットを前記バッファに貯蔵した後に、前記貯蔵されているサブパケットを復号して前記符号化パケットを発生するステップと、
前記符号化パケットでエラーが発生すると、前記受信回数を１だけ増加させるステップと、から構成される請求項７記載の方法。
【請求項９】
前記再伝送に従う復号処理を遂行するステップは、
前記受信したサブパケットを前記バッファにすでに貯蔵されているサブパケットと結合して前記バッファにさらに貯蔵するステップと、
前記結合されて貯蔵されたサブパケットを復号して前記符号化パケットを発生するステップと、
前記符号化パケットでエラーが発生すると、前記受信回数を１だけ増加させ、前記受信回数が予め定められた最大受信回数に到達したか否かを確認するステップと、
前記受信回数が前記最大受信回数に到達すると、前記バッファを一掃するステップと、から構成される請求項８記載の方法。
【請求項１０】
前記符号化パケットにエラーが発生したか否かを判断して、エラーが発生しなかったら、肯定応答(ＡＣＫ)を伝送し、エラーが発生したら、否定応答(ＮＡＫ)を伝送する過程をさらに備える請求項７記載の方法。
【請求項１１】
無線パケットデータの通信システムで符号化パケットを受信する装置であって、
伝送しようとする符号化パケットを符号化したビットストリームを分割して生成した複数のサブパケットのうち１つのサブパケットをデータチャンネルを通じて受信し、前記受信したサブパケットに対して初期伝送に従う復号処理または再伝送に従う復号処理を遂行して符号化パケットを発生するデータチャンネル受信器と、
前記サブパケットの順序を示すサブパケット識別子(ＳＰ＿ＩＤ)及び前記符号化パケットサイズ(ＥＰ＿ＳＩＺＥ)と新たな符号化パケットの伝送のときごとにトグルされるシーケンス識別子(ＡＩ＿ＳＮ)を含む制御情報を受信する制御チャンネル受信器と、
前記符号化パケットにエラーが発生しなかったら、肯定応答(ＡＣＫ)を伝送し、エラーが発生したら、否定応答(ＮＡＫ)を伝送する応答チャンネル送信器と、
前記制御情報によって前記サブパケットに対して初期伝送に従う復号処理を遂行するか、または再伝送に従う復号処理を遂行するかを決定する自動再伝送制御器と、を備え、
前記自動再伝送制御器は、 
前記シーケンス識別子及び前記符号化パケットサイズのすべてが以前に受信したシーケンス識別子及び符号化パケットサイズと同一ではない場合に、前記受信したサブパケットに対して初期伝送に従う復号処理を遂行するもので決定し、
前記シーケンス識別子及び前記符号化パケットサイズが以前に受信したシーケンス識別子及び符号化パケットサイズと同一ではない場合に、前記受信したサブパケットに対して再伝送に従う復号処理を遂行するもので決定することを特徴とする装置。
【請求項１２】
前記自動再伝送制御器は、
前記シーケンス識別子及び前記符号化パケットサイズのすべてが以前に受信したシーケンス識別子及び符号化パケットサイズと同一であり、以前に受信したサブパケットに対して肯定応答(ＡＣＫ)を伝送しない場合に、前記サブパケット識別子が初期伝送を示す値であるか否かを判断するステップと、
前記サブパケット識別子が初期伝送を示す値ではなければ、前記受信したサブパケットに対して再伝送に従う復号処理を遂行するもので決定する請求項１１記載の装置。 
【請求項１３】
前記自動再伝送制御器は、
前記サブパケット識別子が初期伝送を示す値であれば、前記受信したサブパケットに対して初期伝送に従う復号処理を遂行するもので決定する請求項１２記載の装置。
【請求項１４】
前記初期伝送に従う復号処理を遂行するもので決定された場合に、前記データチャンネル受信器は、
前記符号化パケットに対する受信回数を０に設定しバッファを一掃し、前記受信したサブパケットを前記バッファに貯蔵した後に、前記貯蔵されているサブパケットを復号して前記符号化パケットを発生し、前記符号化パケットでエラーが発生すると、前記受信回数を１だけ増加させる請求項１１記載の装置。
【請求項１５】
前記再伝送に従う復号処理を遂行するもので決定された場合に、前記データチャンネル受信器は、
前記受信したサブパケットを前記バッファにすでに貯蔵されているサブパケットと結合して前記バッファにさらに貯蔵し、前記結合されて貯蔵されたサブパケットを復号して前記符号化パケットを発生し、前記符号化パケットでエラーが発生すると、前記受信回数を１だけ増加させ、前記受信回数が予め定められた最大受信回数に到達すると、前記バッファを一掃する請求項１４記載の装置。
【請求項１６】
無線パケットデータの通信システムで符号化パケットを受信する装置において、
伝送しようとする符号化パケットを符号化したビットストリームを分割して生成した複数のサブパケットのうち１つのサブパケットをデータチャンネルを通じて受信し、前記受信したサブパケットに対して初期伝送に従う復号処理または再伝送に従う復号処理を遂行して符号化パケットを発生するデータチャンネル受信器と、
前記サブパケットの順序を示すサブパケット識別子(ＳＰ＿ＩＤ)及び前記符号化パケットサイズ(ＥＰ＿ＳＩＺＥ)と新たな符号化パケットの伝送のときごとにトグルされるシーケンス識別子(ＡＩ＿ＳＮ)を含む制御情報を受信する制御チャンネル受信器と、
前記符号化パケットにエラーが発生しなければ、肯定応答(ＡＣＫ)を伝送し、エラーが発生すれば否定応答(ＮＡＫ)を伝送する応答チャンネル送信器と、
前記制御情報によって前記サブパケットに対して初期伝送に従う復号処理を遂行するか、または再伝送に従う復号処理を遂行するか否かを決定する自動再伝送制御器と、を備え、
前記自動再伝送制御器は、
前記サブパケット識別子が初期伝送を示すように決定し、
前記サブパケット識別子が初期伝送を示し、前記シーケンス識別子及び前記符号化パケットサイズのすべてが以前に受信したシーケンス識別子及び符号化パケットサイズと同一ではなければ、前記受信したサブパケットに対して初期伝送に従う復号処理を遂行するもので決定し、
前記サブパケット識別子が初期伝送を示す値ではなく、前記シーケンス識別子及び前記符号化パケットサイズのすべてが以前に受信したシーケンス識別子及び符号化パケットサイズと同一であれば、前記受信したサブパケットに対して再伝送に従う復号処理を遂行するもので決定することを特徴とする装置。
【請求項１７】
前記初期伝送に従う復号処理を遂行するもので決定された場合に、前記データチャンネル受信器は、
前記符号化パケットに対する受信回数を０に設定しバッファを一掃し、前記受信したサブパケットを前記バッファに貯蔵した後に、前記貯蔵されているサブパケットを復号して前記符号化パケットを発生し、前記符号化パケットでエラーが発生すると、前記受信回数を１だけ増加させる請求項１６記載の装置。
【請求項１８】
前記再伝送に従う復号処理を遂行するもので決定された場合に、前記データチャンネル受信器は、
前記受信したサブパケットを前記バッファにすでに貯蔵されているサブパケットと結合して前記バッファにさらに貯蔵し、前記結合されて貯蔵されたサブパケットを復号して前記符号化パケットを発生し、前記符号化パケットでエラーが発生すると、前記受信回数を１だけ増加させ、前記受信回数が予め定められた最大受信回数に到達すると、前記バッファを一掃する請求項１７記載の装置。
【発明の詳細な説明】
【技術分野】
【０００１】
本発明は、高速無線パケットデータの通信システムに関し、特に、自動再伝送を支援するための方法に関する。
【背景技術】
【０００２】
無線通信システムは、使用者に移動しつつ円滑な通話を提供するために開発されてきた。無線通信技術が発展しつつさらに多いデータを使用者に伝達するための研究が継続してなされている。すでに無線通信システムは、ディジタル方式を使用するので使用者に多いデータを速く伝送することができる。
【０００３】
典型的な符号分割多重接続(Code Division Multiple Access；ＣＤＭＡ)２０００ １ｘ、Ｗ−ＣＤＭＡ(Wideband CDMA)方式の無線通信システムは、音声及び相対的に低速のパケットデータサービスのみを支援する形態である。しかし、使用者の要求とともに技術が発展するに従って高速のパケットデータサービスを支援する形態で発展している傾向にある。そのうち、３ＧＰＰ２(3rd Generation Partnership Project 2)同期方式の新たなＣＤＭＡ伝送規格であるＩＳ−２０００ １ｘＥＶＤＶ(Evolution in Data and Voice)などのようなシステムは、音声のみならず、高速パケットデータサービスを支援するためのシステムとして、最近では、多い注目を受けている。音声サービスを支援しつつも、これと同時に、高速データサービスも支援することができるシステムの具現のためには、無線で送受信される高速パケットデータを処理することができる基地局及び無線端末に対する構成が必須的である。
【０００４】
チャンネル状態の変化が激しく、相互に異なる種類のサービスのためのトラヒックチャンネルが共存する特徴を有する無線チャンネルでは、高速データの伝送を必要とする場合に、伝送効率、すなわち、伝送処理率(transmission throughput)を増加させるために自動再伝送(Hybrid Automatic Repeat Request；以下、ＡＲＱと略称する)を使用する。基本的な自動再伝送は、受信器が受信したデータにエラーが発生したときに再伝送を要求し、送信器は、前記要求に応答して前記データを再伝送することによって、受信器が一定の水準以上の受信品質を保持することができるようにする。
【０００５】
典型的な無線通信システムにおいて、音声通話サービスは、時間遅延にかなり敏感であるので、自動再伝送は考慮の対象になることができなく、回線基盤のデータ サービスに限って上位階層でこれを制限的に支援した。伝送処理率を増加させることができる方案の１つとして、上位階層で支援された自動再伝送機能を物理階層で支援する方案が提示され、これは、現在開発中の高速無線 パケットデータ システム(例えば、１ｘＥＶＤＶなど)のための標準の一部で論議されている。
【０００６】
現在論議されているシステムでは、受信器が訂正することができる限度の内でで受信データのエラーを訂正し、受信器のエラー訂正能力を外れる場合に、送信器に一回再伝送を要求することができるが、これを複合再伝送(Hybrid ＡＲＱ)方式であると称する。最近では、高速データの伝送サービスの常用化が可視化されつつ、既存の固定符号率エラー訂正符号を使用する複合自動再伝送方式で可変符号率エラー訂正符号を使用する複合自動再伝送方式をシステムに効率的に適用するための分析及び研究が活発に進行中である。これとともに、このようなシステムで高速伝送のチャンネル構造のためにＢＰＳＫ(Binary Phase Shift Keying)またはＱＰＳＫ(Quadrature Phase Shift Keying)の以外に、８−ＰＳＫ(8-ary phase shift keying)、１６−ＱＡＭ(16-ary Quadrature Amplitude Modulation)などの高次変調方式(High level modulation)を使用するための研究もともに進行されている。
【０００７】
1xEV-DV システムは、準補完ターボ符号(Quasi-Complementary Turbo Codes；ＱＣＴＣ)を使用する符号器の方式を標準規格として採択している。準補完ターボ符号は、高速データの複合自動再伝送方式のための符号器の方式にて可変符号率を支援し、複合自動再伝送に従う軟性結合(Soft-combining)性能の向上を保証する。１ｘＥＶ−ＤＶシステムでのパケットデータの送受信は、物理階層(physical layer)のＨ−ＡＲＱまたは高速(Fast)Ｈ−ＡＲＱによって遂行される。
【０００８】
複合再伝送(Ｈ−ＡＲＱ)は、伝送処理率の以外にも送信器及び受信器のバッファサイズ及びシグナリング負荷などのシステムの複雑度の側面で考慮されるべき事項が多いので、これを効率的に遂行することは容易ではない。従って、高速無線パケットデータの通信システムでシステム効率及びサービス品質を向上させるための複合再伝送のより効率的な動作及び制御アルゴリズムを必要とするようになった。
【発明の開示】
【発明が解決しようとする課題】
【０００９】
上記背景に鑑みて、本発明の目的は、高速無線パケットデータの通信システムで複合再伝送(Hybrid ARQ)プロトコルのための制御方法及び装置を提供することにある。
【００１０】
本発明の他の目的は、高速無線パケットデータの通信システムで複合再伝送プロトコルに従って受信されたパケットに対する応答を伝送するための方法及び装置を提供することにある。
【００１１】
本発明のまた他の目的は、高速無線パケットデータの通信システムで複合再伝送プロトコルに従って受信されたパケットを初期伝送及び再伝送に区分して処理するための方法及び装置を提供することにある。
【課題を解決するための手段】
【００１２】
このような目的を達成するために、本発明によれば、無線パケットデータの通信システムで伝送しようとする符号化パケットを符号化したビットストリームを分割して生成した複数のサブパケットのうち１つのサブパケットを受信すると同時に、前記サブパケットの順序を示すサブパケット識別子(ＳＰ＿ＩＤ)及び前記符号化パケットのサイズ(ＥＰ＿ＳＩＺＥ)と新たな符号化パケットの伝送のときごとにトグルされるシーケンス識別子(ＡＩ＿ＳＮ)とを含む制御情報を受信して前記符号化パケットに対応する前記サブパケットを受信する自動再伝送方法であって、前記シーケンス識別子及び前記符号化パケットサイズのすべてが以前に受信したシーケンス識別子及び符号化パケットサイズと同一ではない場合に、前記受信したサブパケットに対して初期伝送に従う復号処理を遂行して前記符号化パケットを発生するステップと、前記シーケンス識別子及び前記符号化パケットサイズのすべてが以前に受信したシーケンス識別子及び符号化パケットサイズと同一であり、以前に受信したサブパケットに対して肯定応答(ＡＣＫ)を伝送した場合に、前記サブパケット識別子が初期伝送を示す値であるか否かを判断するステップと、前記サブパケット識別子に従って前記受信したサブパケットに対して初期伝送または再伝送に従う復号処理を遂行して前記符号化パケットを発生するステップと、前記シーケンス識別子及び前記符号化パケットのサイズが以前に受信したシーケンス識別子及び符号化パケットサイズと同一であり、以前に受信したサブパケットに対して肯定応答(ＡＣＫ)を伝送しない場合に、前記受信したサブパケットに対して再伝送に従う復号処理を遂行して前記符号化パケットを発生するステップと、を備えることを特徴とする。
【発明の効果】
【００１３】
本発明は、１ｘＥＶＤＶなどの高速無線パケットデータの通信システムで、複合自動再伝送(Ｈ−ＡＲＱ)を効率的に遂行して、システムの具現のときに発生する多義性または曖昧性を除去すると同時に、システムの処理率の向上に寄与する。また、逆方向応答チャンネル(Ｒ−ＡＣＫＣＨ)のエラー有無に関係なく、受信されるサブパケットを迅速であり適切に処理することによって、より高速のパケットデータサービスが可能である。 
【発明を実施するための最良の形態】
【００１４】
以下、本発明の好適な実施形態について添付図を参照しつつ詳細に説明する。下記説明において、本発明の要旨のみを明瞭するために公知の機能又は構成に対する詳細な説明は省略する。なお、図面中、同一な構成要素及び部分には、可能な限り同一な符号及び番号を共通使用するものとする。
【００１５】
以下、本発明に従う高速パケット方式のデータサービスのために必要な主なチャンネルに対して説明する。順方向チャンネルとは、基地局から無線端末の方向に形成されるチャンネルを意味し、逆方向チャンネルとは、無線端末から基地局の方向に形成されるチャンネルを意味する。通常の場合に、大量のパケットデータは、基地局から無線端末の方向に伝送される場合が多いので、本明細書では、順方向データ伝送を例にあげて説明する。従って、下記説明で送信器は基地局を意味し、受信器は無線端末を意味するもので理解されなければならない。しかし、本発明が基地局から無線端末へのデータ伝送に限られることではなく、無線でデータを伝送して受信するすべての種類のシステムに対して適用可能であることはもちろんである。
【００１６】
パケットデータサービスのための順方向チャンネルは、共通チャンネル(Common Channel)、制御チャンネル(Control Channel)、及びトラヒックチャンネル(Traffic Channel)に大別される。下記でチャンネルの名称の前に表記される“Ｆ−”は、基地局から無線端末の方向に形成される順方向リンク(Forward Link)を意味する。これと類似していて、Ｒは、無線端末から基地局の方向に形成される逆方向リンクを意味する。
【００１７】
前記共通チャンネルは、パイロットチャンネル(Pilot Channel；ＰＩＣＨ)を示すもので、無線端末で同期復調を遂行するための基準振幅及び位相変化量を提供する。前記トラヒックチャンネルとしては、実際に、パケットデータを伝送するパケットデータチャンネル(Packet Data Channel；ＰＤＣＨ)があり、前記制御チャンネルとしては、前記パケットデータチャンネルの受信に関連した制御情報を伝送する順方向パケットデータ制御チャンネル(Forward Packet Data Control Channel；ＰＤＣＣＨ)がある。 
【００１８】
前記制御情報としては、伝送されるパケットが向く無線端末を示すＭＡＣ＿ＩＤ(Media Access Control Identifier)、伝送されるパケットの再伝送回数を示すＳＰ＿ＩＤ(SubPacket Identifier)、伝送されるパケットが偶数番目であるかまたは偶数番目であるかを示すために、新たなパケットの伝送のときごとにトグルされるＡＩ＿ＳＮ(ＡＲＱ＿ＩＤentification Sequence Number)、伝送されるパケットが並列伝送されるＡＲＱチャンネルのうち幾番目のチャンネルであるかを示すＡＲＱ＿ＩＤ、伝送されるパケットの大きさを示すＥＰ＿ＳＩＺＥ(Encoder Packet Size)、ＰＤＣＨに使用されたウォルシュコードを示すウォルシュスペース指示者(Walsh Space Indicator)、及び符号分割多重化(Code Division Multiple；ＣＤＭ)チャンネル指示者(CDM Channel Indicator)などがある。
【００１９】
下記で代表的にパケットデータサービスのための順方向パケットデータチャンネル(Ｆ−ＰＤＣＨ)の送受信構造を説明する。
まず、図１は、パケットデータサービスのための順方向パケットデータチャンネル(Ｆ−ＰＤＣＨ)送信器の簡略化した構造を示すもので、ここで、送信器は基地局を意味する。
図１を参照すると、順方向パケットデータチャンネル(Ｆ−ＰＤＣＨ)の入力シーケンス(Input Sequence)は、ＣＲＣ(Cyclic Redundancy Code)追加器(CRC adder)１０によって１６ビットパケットＣＲＣが加えられた後に、チャンネル符号化器(Channel Encoder)１１によって符号化される。ここで、前記入力シーケンスは、前記チャンネル符号化器１１で一回に符号化される点で符号化パケット(Encoder Packet: EP)であると称される。チャンネル符号化器１１は、前記符号化パケットを符号化するための所定の符号率(Coding Rate)Ｒを有する。前記符号率Ｒがｋ／ｎ(ｎ及びｋは比較的小さい。)の場合に、チャンネル符号化器１１は、ｋビットの入力符号化パケットに対してｎビットを出力する。例えば、前記符号率は、１／２、３／４などになることができる。
【００２０】
チャンネル符号化器１１は、次世代移動通信システムでマルチメディアデータの信頼性ある高速伝送を満足させるために一番適合であると評価を受けているターボ符号化を使用する。ターボ符号化を使用する符号化された出力は、システマティック(systematic)部分及びパリティ(parity)部分に区別されることができる。ここで、前記システマティック(systematic)部分は、伝送しようとする情報の自体を意味し、前記パリティ (parity)部分は、伝送のうちに発生したエラーを受信器で復号のときに補正するために追加されるエラー訂正情報を意味する。
【００２１】
例えば、前記符号率が対称である１／２である場合に、チャンネル符号化部１１は、１ビットの入力シーケンスに応答して２ビットの符号化された出力を生成するが、前記符号化されたビットは、１ビットのシステマティック部分(情報ビット)及び１ビットのパリティ部分(剰余ビット)からなる。他の例として、前記符号率が非対称である３／４である場合に、チャンネル符号化器１１は、３ビットの入力シーケンスに応答して４ビットの符号化された出力を生成するが、前記符号化されたビットは、３ビットのシステマティック部分及び１ビットのパリティ部分からなる。
【００２２】
特に、複合自動再伝送方式が使用される場合に、毎入力符号化パケットに対応する前記符号化されたビットストリームは、ＱＣＴＣシンボル選択によって相互に異なるＩＲ(Increment Redundnacy)パターンを有する所定数のサブパケット(Sub-Packets)に分けられ、チャンネル符号化器１１は、前記符号化パケットに対する再伝送が要求される度に前記サブパケットを１つずつ順序の通りに出力する。すなわち、実際に、基地局は、再伝送のときごとに相互に異なるサブパケットを伝送する。これらは、すべて同一の符号化パケットに対応するものであるので、本明細書では、同一の符号化パケットに該当するサブパケットの伝送を符号化パケットの再伝送と同一の意味として使用する。前記サブパケットは、基地局でＦ−ＰＤＣＣＨを通じて伝送されるＳＰ＿ＩＤによって識別され、従って、ＳＰ＿ＩＤは、同一の符号化パケットに対する再伝送回数を示す。
【００２３】
ここで、前記サブパケットを生成する方式または前記サブパケットを伝送する順序は、適用される複合自動再伝送(Ｈ−ＡＲＱ)の種類に従って定められる。従って、同一の符号化パケットに対応する複数のサブパケットは、相互間に同一であるかまたは異なることができる。例えば、一番目サブパケット、すなわち、初期に伝送されるサブパケットは、符号化されたビットストリームのうちシステマティック部分の一部または全体で構成され、再伝送されるサブパケットは、再伝送回数に従ってパリティ部分のみを備えるか、またはシステマティック部分の一部と剰余部分で構成されることができる。以下、一番目サブパケットは、初期伝送(NEW)サブパケットであると称され、その以後のサブパケットは、再伝送(CONTINUE)サブパケットであると称される。
【００２４】
前記符号化された出力は、レートマッチング器(Rate Matching Block)１２に入力されてレートマッチングがなされる。前記レートマッチングは、通常に、トランスポートチャンネルマルチプレキシングが行われるか、または前記符号化された出力のビット数が無線上で伝送可能なビット数と不一致する場合に、前記符号化された出力に対する反復(Repetition)、パンクチュアリング(Puncturing)などの動作によって遂行される。
【００２５】
前記レートマッチングされた出力は、 インターリーバ(Interleaver)１３によってインターリービングされる。前記インターリービングは、伝送しようとするビットの損傷される部分が特定の位置に集中されず、分散されるようにすることによって、フェ−ディングチャンネルを通過しつつ頻りに発生するバーストエラー(Burst Error)を防止してデータ伝送損失を最小化し、チャンネル符号化の効果を上昇させる。
【００２６】
前記インターリービングされた出力は、変調器(M_ary Modulator)１４によってＱＰＳＫ (Quadrature Phase Shift Keying)、８ＰＳＫ(8ary PSK)、１６ＱＡＭ(16-ary Quadrature Amplitude Modulation)、及び６４ＱＡＭ(64-ary QAM)のうちの１つの選択された変調次数(MOD order)に従って該当する変調シンボルにマッピングされる。前記変調次数は、現在無線チャンネルの状態に従って選択される。
【００２７】
前述した図面では示されていないが、前記送信器は、前記変調シンボルを基地局の区分のための擬似雑音(Pseudo-random Noise；ＰＮ)コードと伝送チャンネルの区分のための複数のウォルシュコード(Walsh Codes)などを使用して拡散することによって、受信器が前記データを伝送するチャンネル及び前記データを伝送する基地局を区分できるようにする。
【００２８】
図２は、図１に示した送信器に対応するＦ−ＰＤＣＨ受信器の簡略化された構造を示し、ここで、受信器は、無線端末を意味する。
図２を参照すると、受信データは、基地局の区分のための擬似雑音コードと伝送チャンネルの区分のための複数のウォルシュコードを利用して逆拡散されたものである。前記復調器２０は、前記受信データを前記送信器の変調器１４で使用した変調方式に対応する復調方式によって復調を遂行する。デインターリーバ２１は、前記変調された出力を利用して、前記送信器のインターリーバ１３で使用されたインターリービング規則に対応するデインターリービング規則に従ってデインターリービングしてサブパケットを出力する。ここで、サブパケットとは、同一の符号化パケットに対して再伝送される複数の伝送単位のそれぞれを意味し、基地局からＦ−ＰＤＣＣＨを通じて伝送されるＳＰ＿ＩＤによって識別される。
【００２９】
結合器(Combiner)２２は、同一の符号化パケットに対してＡＲＱバッファ２６に累積されて貯蔵されたサブパケットを前記デインターリーバ２１から出力されたサブパケット及び複合自動再伝送方式の種類に従って結合する。同一の符号化パケットに対して累積されて貯蔵されたサブパケットがない場合に、前記デインターリーバ２１から出力されたサブパケットは、結合なく出力される。前記結合器２２の出力は、チャンネル復号化器(Channel Decoder)２３に提供される同時に、次に受信されるサブパケットと結合されることができるように前記ＡＲＱバッファ２６に貯蔵される。
【００３０】
前記チャンネル復号化器２３は、前記結合器２２からの出力を入力にして所定の復号化方式によって復号化することにより所望の符号化パケットを復元する。前記復号化方式は、前記送信器のチャンネル符号化器１１で遂行される符号化方式によって決定される。
【００３１】
ＣＲＣ検査器(CRC Checker)２４は、前記チャンネル復号化器２３から復号化されて出力される符号化パケットを入力にしてＣＲＣを抽出し、前記抽出されたＣＲＣを利用して前記符号化パケットのエラーが発生したか否かを判断する。前記判断結果に従って前記符号化パケットの受信を確認する信号である肯定応答(ＡＣＫnowledge；ＡＣＫ)または前記符号化パケットの再伝送を要求する信号である否定応答(Non-ＡＣＫnowledge；ＮＡＫ)が逆方向応答チャンネル(ReverseＡＣＫnowledge Channel；Ｒ−ＡＣＫＣＨ)を通じて前記基地局に伝送される。
【００３２】
ＡＣＫが伝送される場合に、バッファ初期化が遂行されて該当符号化パケットに対して前記ＡＲＱバッファ２６に貯蔵されたサブパケットが除去される。反面に、ＮＡＫが伝送される場合に、該当サブパケットは、前記ＡＲＱバッファ２６に保持(retain)される。
【００３３】
前記のように構成される順方向パケットデータチャンネル(Ｆ−ＰＤＣＨ)の受信に必要な形式情報は、順方向パケットデータ制御チャンネル(Ｆ−ＰＤＣＣＨ)を通じて伝達される制御情報から得ることができる。前記制御情報波，前述したように、ＭＡＣ＿ＩＤ、ＳＰ＿ＩＤ、ＡＩ＿ＳＮ、ＡＲＱ＿ＩＤ、及びＥＰ＿ＳＩＺＥを含む。無線端末は、Ｆ−ＰＤＣＣＨの復調結果得られたＭＡＣ＿ＩＤが自分のものと一致すると、Ｆ−ＰＤＣＨ受信器を活性化してＦ−ＰＤＣＨのデータを受信し、前記受信されたデータの復号結果をＲ−ＡＣＫＣＨを通じて基地局に通報する。
【００３４】
前述した構成及び動作は、基地局及び移動端末の物理階層に該当する送信器及び受信器に対することである。階層的構造を使用する典型的な無線通信システムで複合自動再伝送(Ｈ−ＡＲＱ)は、上位階層で行われる。 
【００３５】
図３は、典型的なＨ−ＡＲＱ処理のための上位階層と物理階層との間の関係を示すブロック図である。図３を参照すると、物理階層(Physical layer)３２は、無線チャンネルを通じて伝送された信号を復号して、前記復号されたデータをそのＣＲＣ検査結果とともに、上位階層であるＭＡＣ(Media Access Control)階層(Layer)３０にＭｕｘＰＤＵ(Protocol Data Unit)の形態で伝達する。ＭＡＣ階層３０は、前記ＣＲＣ検査結果から物理階層３２からの復調されたデータにエラーがあるか否かを判断し、エラーが発生した場合にエラーが発生したデータの再伝送を要求し、エラーが発生しない場合に新たなデータの伝送を要求する。また、前記ＭＡＣ階層は、無線リンクプロトコル(Radio Link Protocol；ＲＬＰ)に従って前記データを処理する。このように送信側で実際に伝送するデータは、ＭＡＣ階層３０によって決定される。
【００３６】
Ｈ−ＡＲＱ処理がＭＡＣ階層３０で行われる場合に、物理階層３２で復号されたデータが上位階層であるＭＡＣ階層３０に伝達されて処理されなければならないので、毎再伝送データに対する処理速度が低下し、高速のデータ処理のときにＭＡＣ階層３０の負荷が増加する。
【００３７】
また、上位階層でＨ−ＡＲＱ処理を遂行する場合に、同一のデータに対する軟性結合(soft combining)を遂行することができない。その理由は、物理階層では、それぞれの受信復調シンボルに対する軟性値(soft value)を保持することができるが、上位階層に伝達されるシンボルは、すべて０または１の二進値(binary value)であるハード値(hard value)に変換されるからである。従って、再伝送によって同一の符号化パケットに対する符号化されたシンボルが反復して受信されても、これらの軟性結合を遂行することができなく、このとき、シンボル結合のために可能な唯一な方法は、二進値を有するシンボルに対して０または１の個数を求め、前記個数を相互に比較して優勢なシンボルで決定するものであり、これは、多数決定方式(Majority voting)であると称する。しかし、多数決定方式も要求される演算量のために上位階層ではほぼ使用されていない。これに反して、物理階層でＨ−ＡＲＱ処理を遂行すると、同一の符号化パケットに対する符号化されたシンボルの軟性結合を遂行することができるので、効率的な資源使用が可能である。
【００３８】
以上のような理由によって、図４に示すように、物理階層でＨ−ＡＲＱ動作の一部を処理するための構造が提案される。
図４は、改善された構造のＨ−ＡＲＱ処理のための上位階層と物理階層との間の関係を示すブロック図である。図４では、Ｈ−ＡＲＱに対する速い処理と応答のためにＭＡＣ階層４２で遂行されたＨ−ＡＲＱ動作の一部を物理階層４４またはその中間の副階層(Sub-Layer)４２で遂行するように構成する。副階層４２は、Ｈ−ＡＲＱ制御副階層４２であると称する。Ｈ−ＡＲＱ制御副階層４２は、従来のＭＡＣ階層(図３の３０)で遂行した動作の一部を遂行するようにする。前記Ｈ−ＡＲＱ制御副階層４２は、構造的には物理階層４４に含まれ、機能的には、ＭＡＣ階層４２ に含まれる。前記Ｈ−ＡＲＱ制御副階層４２は、構造的にデータの再伝送に対する判断のみをＭＡＣ階層４０に代わりに遂行するように構成されることによって、同一のデータに対するＨ−ＡＲＱ処理時間を短縮させる。
【００３９】
図４のように構成すると、従来の方式と比較するときにＨ−ＡＲＱ処理速度が速くなる。実際に、図３の方式は、１つのパケット伝送からＮＡＫ信号を受信し、これに従う再伝送パケットが伝送される時点まで最小２００ｍｓｅｃ程度の全体経路遅延(round trip delay)が発生する。これに反して、図４のような方式を適用すると、短くは、数ｍｓｅｃ程度の非常に小さい全体の経路遅延のみが発生する。Ｆ−ＰＤＣＨでチャンネル環境に従って変調方式及び符号率を変化させるＡＭＣ(Adaptive Modulation and Coding)を使用する場合に、このような少ない経路遅延は特にさらに有用である。
【００４０】
前記上位階層と物理階層との間の構造を利用して実質的にＨ−ＡＲＱを運営するためには、再伝送要請(すなわち、受信器から伝達されるＮＡＫ)に従う送信器の再伝送規約(protocol)が必要である。このための方式にて、３ＧＰＰ２のＣＤＭＡ２０００ １ｘでは、ＡＡＩＲ(Asynchronous and Adaptive Increment Redundancy)を使用する。ＡＡＩＲによれば、基地局は、無線端末で報告する順方向チャンネルの品質情報に従って前記無線端末に対するパケット伝送を非同期方式(asynchronous)にて遂行するが、このとき、伝送されるパケットの変調方式及び符号率及びスロット長さは、前記チャンネル品質に従って適応的に(adaptively)決定される。また、初期伝送に失敗したパケットは再伝送され、再伝送のときに初期伝送及び相異なる符号シンボルパターン(すなわち、異なるサブパケット)が伝送されることができる。このようなＡＡＩＲは、再伝送回数の増加に従うパケットデータの信号対雑音比(Signal to Noise Ratio；ＳＮＲ)を増加させ、符号率(Coding Rate)の減少に従う符号化利得(coding gain)を増加させてパケットデータの送受信の性能を向上させる。
【００４１】
図５は、本発明の好適な実施例に従う無線端末の階層的な構成を示すブロック図である。ここで、複合再伝送(Ｈ−ＡＲＱ)制御器５０は、Ｈ−ＡＲＱ制御副階層４２に該当し、Ｒ−ＡＣＫＣＨ送信器５２、Ｆ−ＰＤＣＣＨ受信器５４、及びＦ−ＰＤＣＨ受信器５６は、物理階層４４に該当する。Ｆ−ＰＤＣＨ受信器５６の詳細な構成は、図２に示したようである。
【００４２】
図５を参照すると、Ｒ−ＡＣＫＣＨ送信器５２は、複合再伝送制御器５０の制御によってＲ−ＡＣＫＣＨを通じて伝送するＡＣＫ信号またはＮＡＫ信号を生成して出力する。Ｆ−ＰＤＣＣＨ受信器５４は、Ｆ−ＰＤＣＣＨに受信される制御情報を復号し、前記復号された結果を複合再伝送制御器５０及びＦ−ＰＤＣＨ受信器５６に提供する。Ｆ−ＰＤＣＨ受信器５６は、受信されたパケットのための階層間のバッファ５８に連結され、Ｆ−ＰＤＣＨを通じて受信される各パケットデータを受信し、複合再伝送制御器５０の制御によって復調及び復号を遂行する。Ｆ−ＰＤＣＨ受信器５６で復号に成功した場合に復号されたデータは、前記複合再伝送制御器５０の制御によって階層間のバッファ５８に貯蔵される。階層間のバッファ５８は、複合再伝送制御器５０の制御によって上位階層に大きい負荷を与えない程度の周期で前記貯蔵されているデータを前記上位階層に伝達する。
【００４３】
複合再伝送制御器５０は、Ｆ−ＰＤＣＣＨ受信器５４によって受信される制御情報、すなわち、ＭＡＣ＿ＩＤ、ＡＲＱ＿ＩＤ、ＳＰ＿ＩＤ、ＥＰ＿ＳＩＺＥ、及びＡＩ＿ＳＮなどを利用して、Ｆ−ＰＤＣＨ受信器５６によって受信されたパケットデータに対して再伝送関連復号処理を遂行するか、または初期伝送関連復号処理を遂行するかを決定し、また、その処理結果に従ってＲ−ＡＣＫＣＨ送信器５２を制御してＡＣＫまたはＮＡＫを伝送する。
【００４４】
無線端末がＲ−ＡＣＫＣＨを通じて符号化パケットの復号に成功したか否かを基地局に通報する方式としては、ＡＣＫ、ＮＡＫの二状検出(binary detection)方式またはＡＣＫ、ＮＡＫ、無応答(Silence)の三状検出(tri-state detection)方式が使用されることができる。ここで、無応答(Silence)は、Ｒ−ＡＣＫＣＨをゲートオフ(gate-off)する事実上の応答なし(no response)である。
【００４５】
三状検出方式を採択する場合に、基地局のＲ−ＡＣＫＣＨ受信器でＡＣＫ, ＮＡＫまたは無応答を検出する手順を図６に示す。図６を参照すると、基地局は、受信信号をＲ−ＡＣＫＣＨに割り当てられた拡散コードを利用して逆拡散させることによって、Ｒ−ＡＣＫＣＨ信号を抽出した後に(ステップ６０)、前記Ｒ−ＡＣＫＣＨ信号をI(In-phase)チャンネル信号及びＱ(Quadrature)チャンネル信号に分離し、前記分離されたチャンネル信号の乗を総計することによって、電力(またはエネルギー)レベルを検出する(ステップ６２)。前記検出された電力レベルは、所定のしきい値(Threshold)と比較される(ステップ６４)。
【００４６】
前記検出された電力レベルが前記しきい値より小さければ、無線端末でＲ−ＡＣＫＣＨをゲートオフしたものであるので、基地局は、これを無応答として判定する(ステップ６６)。反面に、前記検出された電力レベルが前記しきい値の以上であれば、基地局は、前記Ｒ−ＡＣＫＣＨ信号を復号してＡＣＫまたはＮＡＫであるかを判断し、その判断結果に従って、同一の符号化パケットに対する新たなサブパケットを伝送(再伝送処理)するか、または新たな符号化パケットに対する初期伝送サブパケットを伝送(初期伝送処理)する(ステップ６８)。
【００４７】
前述したように、基地局は、無線端末からの応答に従って同一の符号化パケットを反復して伝送することができる。このような場合に、無線端末は、現在受信されたパケットが再伝送されたものであるか、または初期伝送されたものであるかを判別し、それに従う処理を遂行すべきである。無線端末がただ以前にＡＣＫを伝送したか、またはＮＡＫを伝送したかに従って現在受信されたパケットの再伝送を遂行するか否かを判別すると、Ｒ−ＡＣＫＣＨの応答を誤って解釈して不要な処理が遂行されるか、または受信されたパケットを誤って廃棄することができる。
【００４８】
従って、本発明では、無線端末がＲ−ＡＣＫＣＨの以前応答及び／またはＦ−ＰＤＣＣＨの制御情報に従って現在受信されたパケットに対して再伝送関連復号処理を遂行するものである、または初期伝送関連復号処理を遂行するものであるかを決定するようにする。Ｆ−ＰＤＣＣＨの制御情報に含まれた再伝送関連情報には、伝送するパケットが属しているＡＲＱチャンネルを示すＡＲＱ＿ＩＤと、符号化パケットの大きさを示すＥＰ＿ＳＩＺＥ、サブパケットの順序を示すＳＰ＿ＩＤ、伝送するパケットの初期伝送(NEW)／再伝送(CONTINUE)を遂行するか否かを示すＡＩ＿ＳＮフラグがある。 
【００４９】
以下、添付図を参照して、Ｆ−ＰＤＣＣＨの再伝送関連情報を利用して複数のＡＲＱチャンネルのうち一本のＡＲＱチャンネルの複合自動再伝送処理を遂行する基地局及び無線端末の動作に対して説明し、各ＡＲＱチャンネルの処理はすべて同一である。
図７乃至図１２は、無線端末が初期伝送サブパケット(ＳＰ＿ＩＤ＝０)を受信すべき場合を示す。前述したように、初期伝送サブパケットは、符号化されたビットストリームのうちシステマティック部分の一部または全体を含んでいる。成功的な復号のためには、前記システマティック部分は、パリティ部分に比べて相対的に重要である。すなわち、図７乃至図１２で、無線端末がＦ−ＰＤＣＣＨを流失(missing)するか、またはＦ−ＰＤＣＣＨで初期伝送サブパケットを流失する場合に、基地局は、復号成功率を向上させるために初期伝送サブパケットをさらに伝送することによって符号化パケットの復号成功率を向上させる。また、図７乃至図１２は、基地局で伝送する制御情報のうち選択された要素を使用して複合自動再伝送処理を遂行する動作を示しているが、特に、図７及び図８は、ＡＩ＿ＳＮを除外した残りの要素を利用した処理を示す。
【００５０】
図７及び図８は、本発明の一実施例に従って、ＭＡＣ＿ＩＤ、ＡＲＱ＿ＩＤ、ＳＰ＿ＩＤ、及びＥＰ＿ＳＩＺＥを利用した基地局及び無線端末の複合自動再伝送動作を示すフローチャートである。ここで、ＳＰ＿ＩＤが０であることは、新たな符号化パケットに対する一番目サブパケット(sub-Packet)の初期伝送(first transmission)を示す。図７を参照すると、基地局は、ＡＲＱ＿ＩＤ伝送回数(Ｔｘ＿Ｎｕｍ)を０に設定し(ステップ１００)、パケットデータサービスを開始するために先に前記伝送回数が０であるか否かを判断する(ステップ１０２)。 
【００５１】
前記伝送回数が０であれば、基地局は、ＳＰ＿ＩＤ新たな符号化パケットの初期伝送サブパケットをＦ−ＰＤＣＨを通じて無線端末へ伝送する同時に、Ｆ−ＰＤＣＣＨを通じてＭＡＣ＿ＩＤ, ＡＲＱ＿ＩＤ、 ＳＰ＿ＩＤ(ここで、ＳＰ＿ＩＤは０に設定される)及びＥＰ＿ＳＩＺＥを含む制御情報を伝送した後に(ステップ１０４)、前記無線端末の応答を待機する(ステップ１０６)。この後に、基地局は、前記無線端末からのＲ−ＡＣＫＣＨを復号して(ステップ１０８)、前記伝送したサブパケットに対する無線端末の応答を確認する(ステップ１１０)。前記無線端末の応答が“ＡＣＫ”である場合に、新たな符号化パケットを伝送するためにステップ１０２に復帰する。反面に、前記無線端末の応答が“ＮＡＫ”または“無応答(Silence)”である場合に、同一の符号化パケットを再伝送するために、前記伝送回数を１だけ増加させ(ステップ１１２)、ステップ１０２に復帰する。
【００５２】
ステップ１０２で、前記伝送回数が０でなければ、基地局は、Ｒ−ＡＣＫＣＨを通じて受信された無線端末の最近応答が‘無応答’であるか否かを判断する(ステップ１１４)。無線端末の最近応答が‘無応答’である場合に、すなわち、以前の応答が存在しない場合には、Ｆ−ＰＤＣＨを通じて以前に伝送したサブパケットを再伝送する同時に、Ｆ−ＰＤＣＣＨを通じて以前ＳＰ＿ＩＤをそのまま含む制御情報を伝送する(ステップ１１６)。反面に、無線端末の最新応答が‘無応答’ではない場合に、以前応答が存在する場合には、以前に伝送した符号化パケットに対応する次の順序のサブパケットをＦ−ＰＤＣＨを通じて伝送すると同時に、Ｆ−ＰＤＣＣＨを通じて伝送する制御情報のＳＰ＿ＩＤを１だけ増加させる(ステップ１１８)。前記ＳＰ＿ＩＤの値は、同一の符号化パケットに対する再伝送回数を示す値として設定される。例えば、一回再伝送のときに‘０１’、２回再伝送のときに‘１０’などの値として設定される。
【００５３】
この後に、基地局は、ステップ１１６またはステップ１１８で伝送したサブパケットに対する無線端末の応答を待機する(ステップ１２０)。基地局は、前記無線端末からのＲ−ＡＣＫＣＨを復号して(ステップ１２２)、ステップ１１６またはステップ１１８で伝送したサブパケットに対する無線端末の応答を確認する(ステップ１２４)。前記無線端末の応答が‘ＡＣＫ’である場合に、基地局は、新たな符号化パケットを伝送するために前記伝送回数を‘０’にリセット(reset)し(ステップ１３０)、ステップ１０２に復帰する。反面に、前記無線端末の応答が‘ＮＡＫ’または‘無応答’である場合に、基地局は前記伝送回数を１だけ増加させ(ステップ１２６)、ステップ１２８に進行する。
【００５４】
ステップ１２８で前記伝送回数は、予め設定された最大伝送回数ＭＡＸ＿ＴＸ＿ＮＵＭと比較される。前記最大伝送回数は、基地局で同一の符号化パケットを無限に再伝送することを防止する。前記伝送回数が前記最大伝送回数より大きいかまたは同じ場合には、基地局は、新たな符号化パケットを伝送するために前記伝送回数を’０’にリセットし(ステップ１３０)、ステップ１０２に復帰する。反面に、前記伝送回数が前記最大伝送回数より小さい場合に同一の符号化パケットを再伝送するために前記伝送回数を変更せず、ステップ１０２に復帰する。
【００５５】
図８を参照すると、パケットデータサービスを受信するために、無線端末は、ＡＲＱバッファを初期化し、受信回数(Ｒｘ＿Ｎｕｍ)を‘０’に設定した後に(ステップ２００)、Ｆ−ＰＤＣＣＨを復号して(ステップ２０２)、前記Ｆ−ＰＤＣＣＨの復号結果得られた制御情報でＣＲＣエラーが検出されたかを判断することによって復号に成功したかを確認する(ステップ２０４)。ここで、前記Ｆ−ＰＤＣＣＨの復号結果、得られた制御情報は、ＭＡＣ＿ＩＤ、ＳＰ＿ＩＤ、及びＥＰ＿ＳＩＺＥなどを含む。復号に失敗すると、Ｒ−ＡＣＫＣＨはゲートオフされる(ステップ２０６)。このとき、Ｒ−ＡＣＫＣＨを通じてはなにも伝送されず、これは、基地局によって無応答(Silence)であると見なされる。
【００５６】
ステップ２０４で、Ｆ−ＰＤＣＣＨの復号に成功したもので確認されると、無線端末は、前記復号結果得られたＭＡＣ＿ＩＤが自分のＭＡＣ＿ＩＤと一致(match)するか否かを判断することによって、自分に受信されるパケットデータがあるか否かを確認する(ステップ２０８)。一致しなければ、Ｒ−ＡＣＫＣＨはゲートオフされる(ステップ２０６)。
【００５７】
ステップ２０８で、前記ＭＡＣ＿ＩＤが相互に一致すると、前記復号結果得られたＳＰ＿ＩＤが初期伝送であることを意味する‘０’であるか否かを確認する(ステップ２１０)。前記ＳＰ＿ＩＤが‘０’であれば、無線端末は、前記受信回数を‘０’に設定し(ステップ２１２)、前記ＡＲＱバッファを一掃(clear)する(ステップ２１４)。その後に、無線端末は、Ｆ−ＰＤＣＨを通じて受信されたサブパケットを前記ＡＲＱバッファに貯蔵し、前記サブパケットを復号して符号化パケットを獲得する(ステップ２１６)。ステップ２１６での復号結果得られた符号化パケットでエラーが検出されなければ、すなわち、Ｆ−ＰＤＣＨの復号に成功すれば(ステップ２１８)、無線端末は、Ｒ−ＡＣＫＣＨを通じてＡＣＫを伝送する(ステップ２２４)。反面、ステップ２１６での復号に失敗すると(ステップ２１８)、無線端末は、前記受信回数を１だけ増加させ(ステップ２２０)、前記ＡＲＱバッファに貯蔵されているデータを保持しつつ(ステップ２２２)、Ｒ−ＡＣＫＣＨを通じてＮＡＫを伝送する(ステップ２２６)。前述したステップ(ステップ２１２乃至ステップ２２２)、すなわち、点線で囲まれた手順７０は、無線端末でなされる初期伝送の復号処理を示す。
【００５８】
一方、ステップ２１０でＳＰ＿ＩＤが‘０’ではない場合に、無線端末は、Ｆ−ＰＤＣＣＨの復号結果得られたＥＰ＿ＳＩＺＥを以前に受信したＥＰ＿ＳＩＺＥと比較する(ステップ２２８)。前記ＥＰ＿ＳＩＺＥが相互に一致しない場合に、無線端末は、Ｒ−ＡＣＫＣＨをゲートオフし(ステップ２０６)、ステップ２０２に復帰する。これは、初期伝送サブパケットが受信されない状態で再伝送サブパケットが受信された場合であるので、符号化パケットを復元できないと判断したからである。ステップ２２８の比較結果、前記ＥＰ＿ＳＩＺＥが相互に一致する場合に、無線端末は、Ｆ−ＰＤＣＨを通じて受信されたサブパケットを以前に受信されて前記ＡＲＱバッファに貯蔵されている以前サブパケット及び符号／パケット結合(Code/Packet-combining)して、前記ＡＲＱバッファにさらに貯蔵し(ステップ２３０)、前記結合されたサブパケットをターボ復号して符号化パケットを獲得する(ステップ２３２)。ステップ２３４で、無線端末は、前記符号化パケットでエラーが検出されなかったか、すなわち、復号に成功したかを判断し、号に成功すると、Ｒ−ＡＣＫＣＨを通じてＡＣＫを伝送する(ステップ２４４)。 
【００５９】
反面、ステップ２３４で、復号に成功しなかったら、無線端末は、前記受信回数を１だけ増加させた後に(ステップ２３６)、予め定められる最大受信回数ＭＡＸ＿ＲＸ＿ＮＵＭと比較する(ステップ２３８)。前記最大受信回数は、無線端末が同一の符号化パケットの再伝送を無限に待機することを防止する。前記受信回数が前記最大受信回数より大きいかまたは同一の場合に、無線端末は、前記ＡＲＱバッファを一掃し(ステップ２４０)、Ｒ−ＡＣＫＣＨを通じてＮＡＫを伝送する(ステップ２４６)。前記受信回数が前記最大受信回数より小さい場合に、無線端末は、前記ＡＲＱバッファを保持しつつ(ステップ２４０)、Ｒ−ＡＣＫＣＨを通じてＮＡＫを伝送する(ステップ２２６)。前述したステップ(ステップ２３０乃至ステップ２４２)、すなわち、点線で囲まれた手順７２は、無線端末でなされる再伝送復号処理を示す。
【００６０】
図９及び図１０は、ＭＡＣ＿ＩＤ, ＡＲＱ＿ＩＤ、 ＳＰ＿ＩＤ, ＥＰ＿ＳＩＺＥ及びＡＩ＿ＳＮを利用した基地局及び無線端末の自動再伝送動作を示すフローチャートである。同様に、ここで、ＳＰ＿ＩＤが０であれば、新たな符号化パケットに対する一番目サブパケットの伝送、すなわち、初期伝送を示す。
【００６１】
図９を参照すると、基地局は、伝送回数(Ｔｘ＿Ｎｕｍ)を０に設定し(ステップ３００)、パケットデータサービスを開始するために、まず、前記伝送回数が０であるか否かを判断する(ステップ３０２)。
【００６２】
前記伝送回数が０であれば、基地局は、ＡＩ＿ＳＮ値をトグル(toggle)、すなわち、０から１にまたは１から０に変更し(ステップ３０４)、新たな符号化パケットの初期伝送サブパケットをＦ−ＰＤＣＨを通じて無線端末へ伝送する同時に、Ｆ−ＰＤＣＣＨを通じてＭＡＣ＿ＩＤ, ＡＲＱ＿ＩＤ、 ＳＰ＿ＩＤ(ここで、ＳＰ＿ＩＤは、０に設定される)、ＥＰ＿ＳＩＺＥ及び前記トグルされたＡＩ＿ＳＮを含む制御情報を伝送する(ステップ３０６)。前記ＡＩ＿ＳＮは、前記ＥＰ＿ＳＩＺＥとともに、符号化パケットの順次(sequence)に対する曖昧性(ambiguity)を多少補完する二重確認者(double checker)の機能を遂行するようになる。すなわち、無線端末は、ＡＩ＿ＳＮ及びＥＰ＿ＳＩＺＥをともに使用して同一の符号化パケットの再伝送であるか否かを判断する。
【００６３】
この後に、基地局は、前記伝送したサブパケットに対する無線端末の応答を待機する(ステップ３０８)。基地局は、前記無線端末からのＲ−ＡＣＫＣＨを復号して(ステップ３１０)、前記伝送したサブパケットに対する無線端末の応答を確認する(ステップ３１２)。前記無線端末の応答が'ＡＣＫ'である場合に、新たな符号化パケットを伝送するためにステップ３０２に復帰する。反面、前記無線端末の応答が‘ＮＡＫ'または‘無応答’である場合に、同一の符号化パケットを再伝送するために前記伝送回数を１だけ増加させ、３１４ ステップ３０２に復帰する。
【００６４】
ステップ３０２で、前記伝送回数が０ではなければ、基地局は、Ｒ−ＡＣＫＣＨを通じて受信された無線端末の最近の応答が‘無応答’であるか否かを判断する。ステップ３１６で、無線端末の最近の応答が‘無応答’である場合に、すなわち、以前応答が存在しない場合には、Ｆ−ＰＤＣＨを通じて以前に伝送したサブパケットを再伝送すると同時に、Ｆ−ＰＤＣＣＨを通じて以前 ＳＰ＿ＩＤをそのまま含む制御情報を伝送する(ステップ３１８)。反面に、無線端末の最新応答が‘無応答’ではない場合に、すなわち、以前応答が存在する場合には、以前に伝送した符号化パケットに対応する次の順序のサブパケットをＦ−ＰＤＣＨを通じて伝送すると同時に、Ｆ−ＰＤＣＣＨを通じて伝送する制御情報のＳＰ＿ＩＤを１だけ増加させる(ステップ３２０)。
【００６５】
この後に、基地局は、ステップ３１８またはステップ３２０で伝送したサブパケットに対する無線端末の応答を待機する(ステップ３２２)。基地局は、前記無線端末からのＲ−ＡＣＫＣＨを復号して(ステップ３２４)、ステップ３１８またはステップ３２０で伝送したサブパケットに対する無線端末の応答を確認する(ステップ３２６)。前記無線端末の応答が'ＡＣＫ'である場合に、基地局は、新たな符号化パケットを伝送するために前記伝送回数を’０’にリセットし(ステップ３３２)、ステップ３０２に復帰する。反面に、前記無線端末の応答が'ＮＡＫ'または’無応答’である場合に、基地局は、前記伝送回数を１だけ増加させ(ステップ３２８)、ステップ３３０に進行する。
【００６６】
ステップ３３０において、前記伝送回数は、予め設定された最大伝送回数ＭＡＸ＿ＴＸ＿ＮＵＭと比較される。前記伝送回数が前記最大伝送回数より大きいかまたは同じ場合には、 基地局は、新たな符号化パケットを伝送するために前記伝送回数を‘０’にリセットし(ステップ３３２)、ステップ３０２に復帰する。反面に、前記伝送回数が前記最大伝送回数より小さい場合に同一の符号化パケットを再伝送するために前記伝送回数を変更せず、ステップ３０２に復帰する。
【００６７】
図１０を参照すると、パケットデータサービスを受信するために、無線端末は、ＡＲＱバッファを初期化し、受信回数(Ｒｘ＿Ｎｕｍ)を‘０’に設定した後に(ステップ４００)、Ｆ−ＰＤＣＣＨを復号して(ステップ４０２)、前記Ｆ−ＰＤＣＣＨの復号結果、得られた制御情報でＣＲＣエラーが検出されたかを判断することによって復号に成功したかを確認する(ステップ４０４)。ここで、前記Ｆ−ＰＤＣＣＨの復号結果、得られた制御情報ＭＡＣ ＩＤ、ＳＰ＿ＩＤ、ＥＰ＿ＳＩＺＥ、及びＡＩ＿ＳＮなどを含む。復号に失敗するとＲ−ＡＣＫＣＨはゲートオフされる(ステップ４０６)。ステップ４０４で、Ｆ−ＰＤＣＣＨの復号に成功したものと確認されると、無線端末は、前記復号結果得られたＭＡＣ＿ＩＤが自分のＭＡＣ＿ＩＤと一致(match)するか否かを判断することによって、前記Ｆ−ＰＤＣＣＨに自分に受信される情報があるか否かを確認する(ステップ４０８)。一致しなければ、Ｒ−ＡＣＫＣＨはゲートオフされる(ステップ４０６)。
【００６８】
ステップ４０８で、前記ＭＡＣ＿ＩＤが相互に一致すると、前記復号結果得られたＳＰ＿ＩＤが０であるか否かを確認する(ステップ４１０)。前記ＳＰ＿ＩＤが０であれば、無線端末は、前記復号結果得られたＡＩ＿ＳＮ及びＥＰ＿ＳＩＺＥが以前に受信したＡＩ＿ＳＮ及びＥＰ＿ＳＩＺＥと同一であるか否かを判断する(ステップ４１２)。前記ＡＩ＿ＳＮ及びＥＰ＿ＳＩＺＥがすべて相互に同一であれば、無線端末は、Ｆ−ＰＤＣＨを復号せず、Ｒ−ＡＣＫＣＨを通じてＡＣＫを伝送する(ステップ４２６)。これは、基地局が以前に伝送した符号化パケットを正常的に受信したが、それに対する応答として、基地局に伝送したＡＣＫを基地局が受信することができないと判断したからである。
【００６９】
一方、前記ＡＩ＿ＳＮ及びＥＰ＿ＳＩＺＥが相互に同一ではなければ、無線端末は、前記受信回数を０に設定し(ステップ４１４)、前記ＡＲＱバッファを一掃する(ステップ４１６)。その後に、無線端末は、Ｆ−ＰＤＣＨを通じて受信されたサブパケットを前記ＡＲＱバッファに貯蔵し、前記サブパケットを復号して符号化パケットを獲得する(ステップ４１８)。ステップ４１８での復号結果得られた符号化パケットでエラーが検出されなければ、すなわち、Ｆ−ＰＤＣＨの復号に成功すれば(ステップ４２０)、無線端末は、Ｒ−ＡＣＫＣＨを通じてＡＣＫを伝送する(ステップ４２６)。ステップ４１８での復号に失敗すると(ステップ４２０)、無線端末は、前記受信回数を１だけ増加させ(ステップ４２２)、前記ＡＲＱバッファに貯蔵されているデータを保持しつつ(ステップ４２４)、Ｒ−ＡＣＫＣＨを通じてＮＡＫを伝送する(ステップ４２８)。前述したステップ４１４乃至４２４、すなわち、点線で囲まれた手順７４は、無線端末でなされる初期伝送の復号処理を示す。
【００７０】
一方、ステップ４１０で、ＳＰ＿ＩＤが０ではない場合に、無線端末は、Ｆ−ＰＤＣＣＨの復号結果得られたＡＩ＿ＳＮ及びＥＰ＿ＳＩＺＥが以前に受信したＡＩ＿ＳＮ及びＥＰ＿ＳＩＺＥと比較する(ステップ４３０)。前記ＡＩ＿ＳＮ及びＥＰ＿ＳＩＺＥが相互に一致しなければ、これは、初期伝送サブパケットが受信されない状態で再伝送サブパケットが受信されたことを意味する。従って、無線端末は、基地局が前記初期伝送サブパケットをさらに伝送するようにするために、Ｒ−ＡＣＫＣＨをゲートオフし(ステップ４０６)、ステップ４０２に復帰する。
【００７１】
ステップ４３０の比較結果、前記ＡＩ＿ＳＮ及びＥＰ＿ＳＩＺＥが相互に一致する場合に、無線端末は、Ｆ−ＰＤＣＨを通じて受信されたサブパケットは、以前に受信されて前記ＡＲＱバッファに貯蔵されている以前サブパケット及び符号／パケット結合して前記ＡＲＱバッファにさらに貯蔵し(ステップ４３２)、前記結合されたサブパケットをターボ復号して 符号化パケットを獲得する(ステップ４３４)。ステップ４３６で、無線端末は、前記符号化パケットでエラーが検出されなかったか、すなわち、復号に成功したかを判断し、成功したらＲ−ＡＣＫＣＨを通じてＡＣＫを伝送する(ステップ４４６)。
【００７２】
反面、ステップ４３６で復号に成功しなければ、無線端末は、前記受信回数を１だけ増加させた後に(ステップ４３８)、予め定められる最大受信回数ＭＡＸ＿ＲＸ＿ＮＵＭと比較する(ステップ４４０)。前記受信回数が前記最大受信回数より大きいかまたは同一の場合に、無線端末は、前記ＡＲＱバッファを一掃し(ステップ４４２)、Ｒ−ＡＣＫＣＨを通じてＮＡＫを伝送する(ステップ４４８)。前記受信回数が前記最大受信回数より小さい場合に、無線端末は、前記ＡＲＱバッファを保持しつつ(ステップ４４４)、Ｒ−ＡＣＫＣＨを通じてＮＡＫを伝送する(ステップ４２８)。前述したステップ(ステップ４３２乃至ステップ４４４)、すなわち、点線で囲まれた手順７６は、無線端末でなされる再伝送復号処理を示す。
【００７３】
図７乃至図１０は、すべてＳＰ＿ＩＤが０である初期伝送サブパケットを受信しなければならない条件の下での動作のみを説明しているので、初期伝送サブパケットが流失された場合に符号化パケットを復元することが不能である。これを補完するために、図１１及び図１２では、無線端末が初期伝送サブパケットを受信しない場合にも、符号化パケットを復号することができる基地局及び無線端末の動作を示している。
【００７４】
図１１及び図１２は、無線端末が一番目サブパケットを流失し、その以後のサブパケットを利用して復号を遂行しても、符号化パケットを成功的に復号することができる確率は、比較的に高いという事実に基づいている。すなわち、図１１及び図１２は、初期伝送サブパケットの流失に従うターボ復号化の不利益(penalty)を無視することができると判断する。また、図１１及び図１２は、基地局が以前応答が存在するか否かを確認せず、再伝送を判断するときに再伝送サブパケットを無条件に伝送する動作を示しているが、本発明の変形された実施例で基地局は、以前応答が存在しない場合に以前サブパケットをさらに伝送することができ、これは、簡単な変形で実施可能である。
【００７５】
下記では、ＭＡＣ＿ＩＤ、ＡＲＱ＿ＩＤ、ＳＰ＿ＩＤ、ＥＰ＿ＳＩＺＥ、及びＡＩ＿ＳＮを利用した動作を示しており、ＳＰ＿ＩＤが０であれば、新たな符号化パケットに対する初期サブパケットの伝送、すなわち、初期伝送であるものとする。 
【００７６】
図１１を参照すると、基地局は、ＡＲＱ＿ＩＤ伝送回数(Ｔｘ＿Ｎｕｍ)を０に設定し(ステップ５００)、パケットデータサービスを開始するために、先に前記伝送回数が０であるか否かを判断する(ステップ５０２)。
【００７７】
前記伝送回数が０であれば、基地局は、ＡＩ＿ＳＮ値をトグル(toggle)、すなわち、０から１に変更し、１から０に変更し(ステップ５０４)、新たな符号化パケットの初期伝送サブパケットをＦ−ＰＤＣＨを通じて無線端末へ伝送する同時に、Ｆ−ＰＤＣＣＨを通じてＭＡＣ＿ＩＤ, ＡＲＱ＿ＩＤ、 ＳＰ＿ＩＤ(ここで、ＳＰ＿ＩＤは０に設定される)、ＥＰ＿ＳＩＺＥ、及び前記設定されたＡＩ＿ＳＮを含む制御情報を伝送する(ステップ５０６)。この後に、基地局は、前記伝送したサブパケットに対する無線端末の応答を待機する(ステップ５０８)。基地局は、前記無線端末からのＲ−ＡＣＫＣＨを復号して(ステップ５１０)、ステップ５０８で伝送したサブパケットに対する無線端末の応答を確認する(ステップ５１２)。前記無線端末の応答が'ＡＣＫ'である場合に、新たな符号化パケットを伝送するためにステップ５０２に復帰する。反面に、前記無線端末の応答が'ＮＡＫ'または’無応答’である場合に、前記伝送回数を１だけ増加させ(ステップ５１４)、ステップ５０２に復帰する。
【００７８】
ステップ５０２で前記伝送回数が０ではなければ、基地局は、Ｆ−ＰＤＣＨを通じて以前に伝送した符号化パケットに対応する次の順序のサブパケットを伝送する同時に、Ｆ−ＰＤＣＣＨを通じて伝送する制御情報のＳＰ＿ＩＤを１だけ増加させる(ステップ５１６)。
【００７９】
この後に、基地局は、ステップ５１６で伝送したサブパケットに対する無線端末の応答を待機する(ステップ５１８)。基地局は、前記無線端末からのＲ−ＡＣＫＣＨを復号して(ステップ５２０)、ステップ５１６で伝送したサブパケットに対する無線端末の応答を確認する(ステップ５２２)。前記無線端末の応答が'ＡＣＫ'である場合に、基地局は、新たな符号化パケットの伝送を試みるために、前記伝送回数を’０’にリセットし(ステップ５２８)、ステップ５０２に復帰する。反面に、前記無線端末の応答が‘ＮＡＫ'または‘無応答’である場合に、基地局は、前記伝送回数を１だけ増加させ(ステップ５２４)、ステップ５２６に進行する。
【００８０】
ステップ５２６で、前記伝送回数は、予め設定された最大伝送回数ＭＡＸ＿ＴＸ＿ＮＵＭと比較される。前記伝送回数が前記最大伝送回数より大きいかまたは同じ場合には、基地局は、新たな符号化パケットを伝送するために前記伝送回数を’０’にリセットし(ステップ５２８)、ステップ５０２に復帰する。反面に、前記伝送回数が前記最大伝送回数より小さい場合に同一の符号化パケットを再伝送するために前記伝送回数を変更せず、ステップ５０２に復帰する。
【００８１】
図１２を参照すると、パケットデータサービスを受信するために、無線端末は、ＡＲＱバッファを初期化し、受信回数(Ｒｘ＿Ｎｕｍ)を‘０’に設定した後に(ステップ６００)、Ｆ−ＰＤＣＣＨを復号して(ステップ６０２)、前記Ｆ−ＰＤＣＣＨの復号結果、得られた制御情報でＣＲＣエラーが検出されたかを判断することによって復号に成功したか否かを確認する(ステップ６０４)。ここで、前記Ｆ−ＰＤＣＣＨの復号結果、得られた制御情報は、ＭＡＣ ＩＤ、ＳＰ＿ＩＤ、ＥＰ＿ＳＩＺＥ、及びＡＩ＿ＳＮなどを含む。復号に失敗すると、Ｒ−ＡＣＫＣＨはゲートオフされる(ステップ６０６)。
【００８２】
ステップ６０４でＦ−ＰＤＣＣＨの復号に成功したもので確認されると、無線端末は、前記復号結果得られたＭＡＣ＿ＩＤが自分のＭＡＣ＿ＩＤと一致(match)するか否かを判断することによって、前記Ｆ−ＰＤＣＣＨに自分に受信される情報があるか否かを確認する(ステップ６０８)。一致しなければ、Ｒ−ＡＣＫＣＨは、ゲートオフされる(ステップ６０６)。
【００８３】
ステップ６０８で前記ＭＡＣ＿ＩＤが相互に一致すると、前記復号結果得られたＳＰ＿ＩＤが初期伝送であることを意味する０であるか同一であるかを確認する(ステップ６１０)。前記ＳＰ＿ＩＤが０であれば、無線端末は、前記復号結果得られたＡＩ＿ＳＮ及びＥＰ＿ＳＩＺＥが以前に受信したＡＩ＿ＳＮ及びＥＰ＿ＳＩＺＥと同一であるか否かを判断する(ステップ６１２)。前記ＡＩ＿ＳＮ及びＥＰ＿ＳＩＺＥが相互に同一であれば、無線端末は、Ｒ−ＡＣＫＣＨを通じてＡＣＫを伝送する(ステップ６２６)。
【００８４】
反面に、前記ＡＩ＿ＳＮ及びＥＰ＿ＳＩＺＥが相互に同一ではなければ、無線端末は、前記受信回数を０に設定し(ステップ６１４)、前記ＡＲＱバッファを一掃する(ステップ６１６)。その後に、無線端末は、Ｆ−ＰＤＣＨを通じて受信されたサブパケットを前記ＡＲＱバッファに貯蔵した後に、前記サブパケットを復号して符号化パケットを獲得する(ステップ６１８)。ステップ６１８で復号結果得られた符号化パケットでエラーが検出されなければ、すなわち、Ｆ−ＰＤＣＨの復号に成功すれば(ステップ６２０)、無線端末は、Ｒ−ＡＣＫＣＨを通じてＡＣＫを伝送する(ステップ６２６)。ステップ６１８での復号に失敗すると(ステップ６２０)、無線端末は、前記受信回数を１だけ増加させ(ステップ６２２)、前記ＡＲＱバッファに貯蔵されているデータを保持(retatin)しつつ(ステップ４２４)、Ｒ−ＡＣＫＣＨを通じてＮＡＫを伝送する(ステップ６２８)。前述したステップ(ステップ６１４乃至ステップ６２４)、すなわち、点線で囲まれた手順７８は、無線端末で行われる初期伝送の復号処理を示す。
【００８５】
一方、ステップ６１０で、ＳＰ＿ＩＤが０ではない場合に、無線端末は、Ｆ−ＰＤＣＣＨの復号結果得られたＡＩ＿ＳＮ及びＥＰ＿ＳＩＺＥを以前に受信したＡＩ＿ＳＮ及びＥＰ＿ＳＩＺＥと比較する(ステップ６３０)。前記ＡＩ＿ＳＮ及びＥＰ＿ＳＩＺＥが相互に一致しない場合に、これは、初期サブパケットが受信されない状態で再伝送サブパケットが受信されたことを意味する。この場合に、符号化パケットは、前記初期サブパケットなく前記次のサブパケットのみを利用して復号される。従って、無線端末は、Ｒ−ＡＣＫＣＨをゲートオフする代わりに、ステップ６１４に進行して初期伝送関連復号処理を遂行する。
【００８６】
ステップ６３０の比較結果、前記ＡＩ＿ＳＮ及びＥＰ＿ＳＩＺＥが相互に一致する場合に、無線端末は、Ｆ−ＰＤＣＨを通じて受信されたサブパケットを以前に受信されて前記ＡＲＱバッファに貯蔵されている以前サブパケット及び符号／パケット結合して前記ＡＲＱバッファにさらに貯蔵し(ステップ６３２)、前記結合されたサブパケットをターボ復号して符号化パケットを獲得する(ステップ６３４)。ステップ６３６で、無線端末は、前記符号化パケットでエラーが検出されなかったか、すなわち、復号に成功したかを判断し、復号に成功すると、Ｒ−ＡＣＫＣＨを通じてＡＣＫを伝送する(ステップ６４６)。 
【００８７】
反面、復号に成功しなければ、無線端末は、前記受信回数を１だけ増加させた後に(ステップ６３８)、予め定められる最大受信回数ＭＡＸ＿ＲＸ＿ＮＵＭと比較する(ステップ６４０)。前記受信回数が前記最大受信回数より大きいかまたは同一の場合に、無線端末は、前記ＡＲＱバッファを一掃し(ステップ６４２)、Ｒ−ＡＣＫＣＨを通じてＮＡＫを伝送する(ステップ６４８)。前記受信回数が前記最大受信回数より小さい場合に、無線端末は、前記ＡＲＱバッファを保持しつつ(ステップ６４４)、Ｒ−ＡＣＫＣＨを通じてＮＡＫを伝送する(ステップ６４８)。前述したステップ６３２乃至６４４、すなわち、点線で囲まれた手順８０は、無線端末で行われる再伝送復号処理を示す。
【００８８】
Ｆ−ＰＤＣＨを通じた順方向データトラヒックの伝送は、基地局及び無線端末の相互間になされる伝送関連応答(ＡＣＫまたはＮＡＫ)の伝達を通じて制御されるので、前記再伝送関連応答の伝達は、高い信頼度で遂行されなければならない。しかし、Ｆ−ＰＤＣＣＨ及びＲ−ＡＣＫＣＨを通じた運搬は、無線チャンネル環境で行われるので、伝送にエラーが発生することができる。無線端末は、Ｆ−ＰＤＣＣＨまたはＲ−ＡＣＫＣＨにエラーが発生しても、パケットデータトラヒックを処理し、それに従う応答を伝送しなければならない。
【００８９】
このような観点で、図１３Ａ乃至図１３Ｄと図１４Ａ乃至図１４Ｅを参照して、Ｈ−ＡＲＱプロトコルに従ってデータパケット及び応答の送受信に従って発生することができる正常的な状況及び非正常的な状況に対して説明することとする。以下、伝送されるパケットは、[Ａ，０]と類似している形態で表示され、ここで、Ａは該当する符号化パケットの内容を意味し、０は前記符号化パケットのＡＩ＿ＳＮを意味する。また、Ａ、Ｂ、Ｃなどは初期伝送サブパケットであり、Ａ’、Ｂ’、Ｃ’などは二番目サブパケット、すなわち、１次再伝送されるサブパケットであり、Ａ、Ｂ、Ｃなどは三番目サブパケット、すなわち、２次再伝送されるサブパケットである。
【００９０】
図１３Ａ乃至図１３Ｄは、Ｈ−ＡＲＱプロトコルに従ってデータパケット及び応答の伝送のときに発生することができる正常的な状況を示す信号フローチャートである。
図１３Ａを参照すると、基地局(ＢＳ)は、伝送する符号化パケットの初期伝送サブパケット[Ａ，０]及びそれに従う制御情報をＦ−ＰＤＣＨ及びＦ−ＰＤＣＣＨを通じて伝送する(ステップ７００)。このとき、Ｆ−ＰＤＣＨ及びＦ−ＰＤＣＣＨのすべてが無線端末(ＭＳ)に正常的に受信されると、すなわち、Ｆ−ＰＤＣＨ及びＦ−ＰＤＣＣＨの復号結果生成したデータ及び情報でエラーが検出されなければ、無線端末は、逆方向応答チャンネル(Ｒ−ＡＣＫＣＨ)に前記符号化パケットを正常的に受信したことを通報するＡＣＫを生成して伝送する(ステップ７０２)。そうすると、基地局は、次の符号化パケット[Ｂ，１]及び制御情報をＦ−ＰＤＣＨ及びＦ−ＰＤＣＣＨへ伝送する(ステップ７０４)。このとき、少なくともＦ−ＰＤＣＣＨが正常的に受信されると、無線端末は、Ｆ−ＰＤＣＨの復号結果に従ってＲ−ＡＣＫＣＨを通じてＡＣＫまたはＮＡＫを生成して伝送する(ステップ７０６)。
【００９１】
図１３Ｂを参照すると、基地局(ＢＳ)は、伝送するパケットの初期伝送サブパケット[Ａ，０]及びそれに従う制御情報をＦ−ＰＤＣＨ及びＦ−ＰＤＣＣＨを通じて伝送する(ステップ７１０)。このとき、Ｆ−ＰＤＣＨ及びＦ−ＰＤＣＣＨが無線端末(ＭＳ)にすべて正常的に受信されると、無線端末は、逆方向応答チャンネル(Ｒ−ＡＣＫＣＨ)にＡＣＫを生成して伝送する(ステップ７１２)。そうすると、基地局は、次の符号化パケット[Ｂ，１]及び制御情報をＦ−ＰＤＣＨ及びＦ−ＰＤＣＣＨに伝送する(ステップ７１４)。 
【００９２】
このとき、チャンネル状況の変化または無線端末の移動などによって、Ｆ−ＰＤＣＨ及びＦ−ＰＤＣＣＨのすべてを受信できない場合に、無線端末は応答することができない(ステップ７１６)。基地局は、応答がない場合もＮＡＫを受信した場合と同一に処理して、前記符号化パケットＢの再伝送サブパケット[Ｂ’，１]をＦ−ＰＤＣＨへ伝送し、それに対する制御情報を同時にＦ−ＰＤＣＣＨへ伝送する(ステップ７１８)。前記再伝送サブパケット[Ｂ’，１]に対する制御情報に含まれるＳＰ＿ＩＤは１に設定される。ステップ７１８で伝送されたＦ−ＰＤＣＨ及びＦ−ＰＤＣＣＨのうちＦ−ＰＤＣＣＨが正常的に受信されると、無線端末は、Ｆ−ＰＤＣＨの復号結果に従ってＲ−ＡＣＫＣＨを通じてＡＣＫまたはＮＡＫを生成して伝送する(ステップ７２０)。
【００９３】
図１３Ｃは、Ｆ−ＰＤＣＨの復号が失敗した後に、再伝送パケットを待機する場合の信号フローチャートである。図１３Ｃを参照すると、基地局は、伝送する符号化パケットの初期伝送サブパケット[Ａ，０]及びそれに従う制御情報をＦ−ＰＤＣＨ及びＦ−ＰＤＣＣＨを通じて伝送する(ステップ７３０)。このとき、Ｆ−ＰＤＣＣＨが正常的に受信され、前記制御情報を利用したＦ−ＰＤＣＨの復号結果エラーが発生すると、無線端末は、Ｒ−ＡＣＫＣＨにＮＡＫ信号を生成して伝送する(ステップ７３２)。そうすると、基地局は、前記符号化パケットに対する再伝送サブパケット[Ａ’，０]及びそれに従う制御情報をともにＦ−ＰＤＣＨ及びＦ−ＰＤＣＣＨへ伝送する。このとき、少なくともＦ−ＰＤＣＣＨが正常的に受信されると、無線端末は、Ｆ−ＰＤＣＨの復号結果に従ってＲ−ＡＣＫＣＨを通じてＡＣＫまたはＮＡＫを生成して伝送する(ステップ７３６)。
【００９４】
図１３Ｄは、 Ｆ−ＰＤＣＨ及びＦ−ＰＤＣＣＨの復号に失敗した場合の 信号フローチャートである。図１３Ｄを参照すると、基地局は、伝送する符号化パケットの初期伝送サブパケット[Ａ，０]及びそれに従う制御情報をＦ−ＰＤＣＨ及びＦ−ＰＤＣＣＨを通じて伝送する(ステップ７４０)。このとき、Ｆ−ＰＤＣＣＨがすべて正常的に受信され、前記制御情報を利用したＦ−ＰＤＣＨの復号結果エラーが発生すると、無線端末は、Ｒ−ＡＣＫＣＨにＮＡＫ信号を生成して伝送する(ステップ７４２)。そうすると、基地局は、前記符号化パケットに対する再伝送サブパケット[Ａ’，０]及びそれに従う制御情報をともにＦ−ＰＤＣＨ及びＦ−ＰＤＣＣＨへ伝送する(ステップ７４４)。前記サブパケット[Ａ’，０]の制御情報に含まれるＳＰ＿ＩＤは１に設定される。
【００９５】
このとき、チャンネルの状況が悪化されるかまたは無線端末の移動などによってＦ−ＰＤＣＨ及びＦ−ＰＤＣＣＨがすべて正常的に受信されなければ、無線端末は、なんの応答も伝送しない(ステップ７４６)。基地局は、応答がない場合にも、ＮＡＫを受信した場合と同一に処理して、前記符号化パケットＡの三番目サブパケット[Ａ，０]と制御情報をＦ−ＰＤＣＨ及びＦ−ＰＤＣＣＨを通じて伝送する(ステップ７４８)。前記三番目サブパケット[Ａ，０]に対する制御情報に含まれるＳＰ＿ＩＤは２に設定される。ステップ７４８で伝送されたＦ−ＰＤＣＨ及びＦ−ＰＤＣＣＨ のうち少なくともＦ−ＰＤＣＣＨが正常的に受信されると、無線端末は、Ｆ−ＰＤＣＨの復号結果に従ってＲ−ＡＣＫＣＨを通じてＡＣＫまたはＮＡＫを生成して伝送する(ステップ７５０)。
【００９６】
次に、図１４Ａ乃至図１４Ｅを参照して非正常的な状況に対して説明する。図１４Ａは、Ｆ−ＰＤＣＨの復号に失敗し、それに従う応答が誤って伝送され、初期伝送サブパケットを受信することができない場合の信号フローを示す。図１４Ａを参照すると、基地局(ＢＳ)は、伝送する符号化パケットの初期伝送サブパケット[Ａ，０]及びそれに従う制御情報をＦ−ＰＤＣＨ及びＦ−ＰＤＣＣＨを通じて伝送する(ステップ８００)。Ｆ−ＰＤＣＣＨがすべて正常的に受信され、Ｆ−ＰＤＣＨの復号結果、獲得した符号化パケットにエラーが存在する場合に、無線端末は、Ｒ−ＡＣＫＣＨを通じてＮＡＫ信号を伝送する(ステップ８０２)。このとき、無線端末がＮＡＫ信号を伝送したにもかかわらず、チャンネルの状況によって基地局でＡＣＫを検出する場合が発生することができる(ステップ８０４)。このような場合に、実際に、無線端末は、ＮＡＫを伝送したにもかかわらず、基地局は、ＡＣＫを受信したもので判断する。
【００９７】
従って、基地局は、Ｆ−ＰＤＣＨ及びＦ−ＰＤＣＣＨを通じて新たな符号化パケットＢの初期伝送サブパケット[Ｂ，１]を伝送する(ステップ８０６)。ここで、ＡＩ＿ＳＮは、次の符号化パケットが伝送されることを示すために０から１へ変更される。一方、無線端末は、前記新たな初期伝送サブパケット[Ｂ’，１]及び制御情報をすべて受信できなく、なんの応答も伝送することができない(ステップ８０８)。そうすると、基地局は、ＮＡＫ信号を受信した場合のように最近に伝送したサブパケット[Ｂ，１]の再伝送サブパケット[Ｂ’，１]を伝送する(ステップ８１０)。このような場合に、無線端末は、一番目符号化パケットＡと二番目の符号化パケットＢを区分して処理し、それに従う応答としてＡＣＫまたはＮＡＫを伝送する(ステップ８１２)。これに対する処理は、下記でさらに詳細に説明される。
【００９８】
図１４Ｂは、Ｆ−ＰＤＣＨの復号に失敗し、再伝送サブパケットを受信することができなく、それに従う応答が誤って伝送された場合の信号フローを示す。図１４Ｂを参照すると、基地局(ＢＳ)は、伝送する符号化パケットの初期伝送サブパケット[Ａ，０]及びそれに従う制御情報をＦ−ＰＤＣＨ及びＦ−ＰＤＣＣＨを通じて伝送する(ステップ８２０)。このとき、Ｆ−ＰＤＣＣＨがすべて正常的に受信され、Ｆ−ＰＤＣＨを通じて受信された符号化パケットにエラーが存在する場合に、無線端末は、Ｒ−ＡＣＫＣＨを通じてＮＡＫを伝送する(ステップ８２２)。基地局は、前記ＮＡＫに応答して前記符号化パケットＡの再伝送サブパケット[Ａ’，０]を無線端末に伝送する(ステップ８２４)。このとき、無線端末は、ステップ８２４のＦ−ＰＤＣＨ及びＦ−ＰＤＣＣＨのすべてを正常的に受信することができなければ、何の応答も伝送しない(ステップ８２６)。
【００９９】
しかし、無線端末が何の応答を伝送しなかったにもかかわらず、チャンネルの状況によって基地局でＡＣＫを検出する場合が発生することができる(ステップ８２８)。従って、基地局は、実際に再伝送すべきサブパケット[Ａ”，０]を伝送せず、次の符号化パケットの初期伝送サブパケット[Ｂ，１]を伝送する(ステップ８３０)。そうすると、無線端末は、一番目符号化パケットＡと二番目の符号化パケットＢを区分して処理し、それに対する応答としてＡＣＫまたはＮＡＫを伝送する(ステップ８３２)。これに対する処理は、下記でさらに詳細に説明される。
【０１００】
図１４Ｃは、Ｆ−ＰＤＣＨ及びＦ−ＰＤＣＣＨの復号に成功し、ＡＣＫを誤って伝送する場合の信号フローを示す。図１４Ｃを参照すると、基地局(ＢＳ)は、伝送する符号化パケットの初期伝送サブパケット[Ａ，０]及びそれに従う制御情報をＦ−ＰＤＣＨ及びＦ−ＰＤＣＣＨを通じて伝送する(ステップ８４０)。このとき、Ｆ−ＰＤＣＨ及びＦ−ＰＤＣＣＨがすべて正常的に受信されると、無線端末は、逆方向応答チャンネル(Ｒ−ＡＣＫＣＨ)にＡＣＫを生成して伝送する(ステップ８４２)。このとき、無線端末がＡＣＫを伝送したことにもかかわらず、無線チャンネルの劣化によって、基地局でＮＡＫを検出する場合が発生することができる(ステップ８４４)。その結果、基地局は、４Ｆ−ＰＤＣＨ及びＦ−ＰＤＣＣＨに前記符号化パケットの再伝送サブパケット[Ａ’，０]及びそれに対する制御情報を生成して伝送する(ステップ８４６)。
【０１０１】
無線端末がステップ８４６のＦ−ＰＤＣＨ及びＦ−ＰＤＣＣＨをすべて受信できない場合に何の応答も伝送しない(ステップ８４８)。このように何の応答も伝送しなければ、基地局は、ＮＡＫを受信した場合のように動作して、前記符号化パケットの三番目サブパケット[Ａ，０]を伝送する(ステップ８５０)。すでに成功的に受信した符号化パケットに対して再伝送がさらに行われる場合にも、無線端末は、これを区分して人為的な(Artificial)ＡＣＫを生成して伝送する(ステップ８５２)。このような処理に対する詳細な説明は後述される。 
【０１０２】
図１４Ｄは、Ｆ−ＰＤＣＨ及びＦ−ＰＤＣＣＨを受信しない状態で新たな符号化パケットの初期伝送サブパケットが受信される場合の信号フローを示す。図１４Ｄを参照すると、基地局(ＢＳ)は、伝送する符号化パケットの初期伝送サブパケット[Ａ，０]及びそれに従う制御情報をＦ−ＰＤＣＨ及びＦ−ＰＤＣＣＨを通じて伝送する(ステップ８６０)。このとき、Ｆ−ＰＤＣＨ及びＦ−ＰＤＣＣＨがすべて正常的に受信されると、無線端末(ＭＳ)は、逆方向応答チャンネル(Ｒ−ＡＣＫＣＨ)にＡＣＫを生成して伝送する(ステップ８６２)。そうすると、基地局は、次の符号化パケットの初期伝送サブパケット[Ｂ，１]及びその制御情報をＦ−ＰＤＣＨ及びＦ−ＰＤＣＣＨへ伝送する。無線端末は、Ｆ−ＰＤＣＨ及びＦ−ＰＤＣＣＨのすべてを正常的に受信できない場合に何の応答も伝送しない(ステップ８６６)。しかし、無線端末が何の応答も伝送しなかったことにもかかわらず、無線チャンネルの状況変化または端末の移動または他の端末の干渉信号などによって基地局でＡＣＫを検出することができる(ステップ８６８)。このような場合に、基地局は、次の符号化パケットの初期伝送サブパケット[Ｃ，０]を伝送する(ステップ８７０)。そうすると、無線端末は、一番目乃至三番目の符号化パケットＡ，Ｂ，Ｃを適切に区分して処理し、それに対する応答としてＡＣＫまたはＮＡＫを伝送する(ステップ８７２)。これに対する処理は、下記でさらに詳細に説明される。
【０１０３】
図１４Ｅは、Ｆ−ＰＤＣＨの復号失敗を応答したが、基地局で復号成功であると判断して新たな符号化パケットを伝送し、無線端末で前記新たな符号化パケットを受信することができないことにもかかわらず、他の新たな符号化パケットを伝送する場合の信号フローを示す。図１４Ｅを参照すると、基地局(ＢＳ)は、伝送する符号化パケットの初期伝送サブパケット[Ａ，０]及びそれに従う制御情報をＦ−ＰＤＣＨ及びＦ−ＰＤＣＣＨを通じて伝送する(ステップ８８０)。このとき、Ｆ−ＰＤＣＣＨが正常的に受信され、Ｆ−ＰＤＣＨを通じて受信された符号化パケットにエラーが存在する場合に、無線端末は、Ｒ−ＡＣＫＣＨを通じてＮＡＫを伝送する(ステップ８８２)。
【０１０４】
このとき、無線端末がＮＡＫを伝送したにもかかわらず、チャンネルの状況などによって基地局でＡＣＫを検出することができる。従って、基地局は、次の符号化パケットの初期伝送サブパケット[Ｂ，１]及びその制御情報をＦ−ＰＤＣＨ及びＦ−ＰＤＣＣＨを通じて伝送する(ステップ８８６)。ステップ８８６のＦ−ＰＤＣＨ及び Ｆ−ＰＤＣＣＨがすべて正常的に受信されなければ、無線端末は何の応答も伝送しない(ステップ８８８)。
【０１０５】
しかし、無線端末が何の応答も伝送しなかったにもかかわらず、無線チャンネルの状況変化または他の端末の干渉信号などによって基地局でＡＣＫが受信されたことで検出することができる(ステップ８９０)。このような場合に、基地局は、さらに次の符号化パケットの初期伝送サブパケット[Ｃ，０]を伝送する(ステップ８９２)。 
【０１０６】
移動端末は、一番目の符号化パケットＡの復号に成功せず、二番目の符号化パケットＢも受信することができない状態で、さらに新たな符号化パケットＣを受信するようになる。無線端末は、前記符号化パケットＡ、Ｂ、Ｃを適切に区分して処理し、それに対する応答としてＡＣＫまたはＮＡＫを伝送する(ステップ８９４)。これに対する処理は、下記でさらに詳細に説明される。
【０１０７】
そうすると、まず、正常的な状況での処理に対して説明する。
図１３Ａ乃至図１３Ｄのように正常的に進行される場合に、無線端末は、サブパケット及び制御情報が受信されるときごとに以前に受信したＡＩ ＳＮを現在受信したＡＩ ＳＮと比較して、現在受信したサブパケットの初期伝送(NEW)／再伝送(CONTINUE)が可能であるか否かを下記のように判断する。
【０１０８】
(１) ＡＩ＿ＳＮが以前 ＡＩ＿ＳＮと同じでない場合に受信サブパケットは、初期伝送サブパケットとして判断する。
(２) ＡＩ＿ＳＮが以前 ＡＩ＿ＳＮの場合に、受信サブパケットは、再伝送サブパケットとして判断する。
【０１０９】
Ｒ−ＡＣＫＣＨにエラーがない場合に、無線端末がＲ−ＡＣＫＣＨを通じてＡＣＫを伝送した後に初期伝送サブパケットを受信することを予想しているとき、基地局は、実際に、初期伝送サブパケットを伝送する。同様に、無線端末がＲ−ＡＣＫＣＨを通じてＮＡＫを伝送した後に、再伝送サブパケットを受信することを予想しているとき、実際に、再伝送サブパケットが受信される。従って、無線端末は、再伝送サブパケットを受信する場合に、これに相応する再伝送関連復号処理を遂行すればよい。前記再伝送関連復号処理は、前述したように、符号／パケット結合及び復号を含む。
【０１１０】
図１４Ａ乃至図１４Ｅのように、Ｒ−ＡＣＫＣＨでエラーが発生した場合に、無線端末は、現在受信したＡＩ ＳＮと以前に受信したＡＩ＿ＳＮとの比較を通じて現在受信したサブパケットの初期伝送/再伝送が可能であるか否かを下記のように判断する。
【０１１１】
(１) ＡＩ＿ＳＮが以前 ＡＩ＿ＳＮと同じでない場合に受信サブパケットは、初期伝送サブパケットとして判断する。
(２) ＡＩ＿ＳＮが以前 ＡＩ＿ＳＮのような場合により正確な判断のために追加的な基準を使用して初期伝送／再伝送が可能であるか否かを判断する。  
【０１１２】
すなわち、非正常的な状況の場合に、特に、現在のＡＩ＿ＳＮと以前のＡＩ＿ＳＮが同一の場合に、ＡＩ＿ＳＮを比較するもののみで、受信サブパケットの再伝送が可能であるか否かを判別することができなく，その理由は、次のようである。
【０１１３】
Ｒ−ＡＣＫＣＨにエラーが発生して無線端末がＲ−ＡＣＫＣＨを通じて伝送したＡＣＫ／ＮＡＫを基地局が誤って分析して受信できない場合に、基地局は、無線端末が受信することを予想しているサブパケットではない他のサブパケットを伝送するようになる。無線端末は、初期伝送サブパケットを予想しているとき、基地局は、再伝送サブパケットを伝送するか、または、無線端末が再伝送サブパケットを予想しているとき、基地局は、初期伝送サブパケットを伝送するようになる。これは、図１４Ａ及び図１４Ｂのように、ＡＣＫ及びＮＡＫが相反するように伝達される場合である。
【０１１４】
図１４Ａ及び図１４Ｂの場合に、現在受信したサブパケットは、無線端末の立場で初期伝送サブパケットと見なされ、これに相応する初期伝送関連の復号処理を経る。前記初期伝送関連の復号処理は、前述したように、ＡＲＱバッファのリセット及び現在受信されたサブパケットの貯蔵及び復号を含む。
【０１１５】
結局、Ｒ−ＡＣＫＣＨにエラーが発生した場合にも受信したＡＩ＿ＳＮが以前のＡＩ＿ＳＮと異なる値を有していれば、無線端末は、現在受信したサブパケットを初期伝送サブパケットと見なして処理する。これは、実際に初期伝送サブパケットなく再伝送サブパケットのみでも符号化パケットを復元することが可能であるからである。
【０１１６】
図１４Ｃ乃至図１４Ｅのように、ＡＩ＿ＳＮが以前 ＡＩ＿ＳＮと相互に同一の場合に対して、まず、図１４Ｃ、図１４Ｄ、及び図１４Ｅを区分して説明する。図１４Ｃの場合に、現在受信したサブパケットは、すでに復号に成功してＡＣＫを伝送したことがある符号化パケットＡから生成されたものである。従って、無線端末は、現在受信したサブパケットを復号せず、Ｒ−ＡＣＫＣＨに人為的に生成したＡＣＫを伝送する。
【０１１７】
図１４Ｄの場合には、Ｒ−ＡＣＫＣＨにＡＣＫ／ＮＡＫが伝送されなかったにもかかわらず、基地局がＡＣＫを検出した場合である。無線端末が現在受信したサブパケットは、新たな符号化パケットＣから生成される。このような場合に、無線端末は、現在受信したサブパケットを初期伝送サブパケットと見なして初期伝送関連の復号処理を遂行する。このような場合に、二番目の符号化パケットＢのサブパケット[Ｂ，１]に対しては、上位階層によって再伝送要請が遂行されるので無視する。
【０１１８】
終わりに、図１４Ｅのような場合は、無線端末がＲ−ＡＣＫＣＨにＮＡＫを伝送して再伝送サブパケットを待機しているときに同一のＡＩ＿ＳＮを有するサブパケットが受信された場合である。これは、Ｒ−ＡＣＫＣＨでＮＡＫがＡＣＫと誤って伝達された後に、Ｆ−ＰＤＣＣＨの復号に失敗した場合である。現在受信したサブパケットは、新たな符号化パケットＣから生成される。従って、無線端末は、現在受信したサブパケットを初期伝送サブパケットとして判断し、これに相応する初期伝送関連の復号処理を遂行する。同様に、一番目の符号化パケットＡのサブパケット[Ａ，０]及び二番目の符号化パケットＢのサブパケット[Ｂ，１]は、上位階層によって再伝送要請が遂行されるので無視する。
【０１１９】
まとめると、Ｒ−ＡＣＫＣＨにエラーが発生した状況でＡＩ＿ＳＮが変化しない場合に、無線端末の動作は下記のようである。特に、無線端末が初期伝送サブパケットを待機しているときは、Ｒ−ＡＣＫＣＨにどんなエラーがあったかによっても無線端末が取るべき適切な動作が相異である。
【０１２０】
(１) 初期伝送サブパケットを待機しているときにＡＩ＿ＳＮが以前のＡＩ＿ＳＮと同一の場合に、受信サブパケットは再伝送サブパケットであるので、人為的なＡＣＫをＲ−ＡＣＫＣＨを通じて伝送する。
(２) 初期伝送サブパケットを待機しているときにＡＩ＿ＳＮが以前のＡＩ＿ＳＮ及び同一ではない場合に、受信サブパケットは、初期伝送サブパケットであるので、初期伝送関連復号処理を遂行する。
(３) 再伝送サブパケットを待機しているときにＡＩ＿ＳＮが以前のＡＩ＿ＳＮと同一の場合に、受信サブパケットは、初期伝送サブパケットであるので、無線端末は、初期伝送関連復号処理を遂行する。
【０１２１】
無線端末でＨ−ＡＲＱプロトコルを適用してサブパケットの再伝送を遂行するか否かを判断することは、前述したことに基づいて下記のような２つに基づく。一番目は、ＡＩ＿ＳＮが以前 ＡＩ＿ＳＮと同じでない場合に、無線端末は、Ｒ−ＡＣＫＣＨにエラーがあるか否かに関係なく、受信サブパケットを初期伝送サブパケットとして判断する。二番目は、ＡＩ＿ＳＮが以前 ＡＩ＿ＳＮのような場合に、Ｒ−ＡＣＫＣＨにエラーがない場合には、受信サブパケットを再伝送サブパケットであると判断し、Ｒ−ＡＣＫＣＨにエラーがある場合には、どんなエラーが発生したかに従って受信サブパケットを初期伝送または再伝送サブパケットとして判断する。
【０１２２】
しかし、無線端末は、Ｒ−ＡＣＫＣＨにエラーがあるか否か、エラーがあれば、どんな種類のエラーがあったかを正確に分からない。従って、無線端末は、ＳＰ＿ＩＤ及びＥＰサイズを利用してＲ−ＡＣＫＣＨにエラーが発生したかを予測することによって再伝送関連誤動作を最小化する。
【０１２３】
(Ａ) 現在ＡＩ＿ＳＮ及び貯蔵している以前のＡＩ＿ＳＮが同一ではない場合に、無線端末は、受信サブパケットを初期伝送サブパケットとして判断する。
(Ｂ) 現在ＡＩ＿ＳＮ及び貯蔵している以前のＡＩ＿ＳＮが同一である場合に、無線端末は、現在受信したＥＰ＿ＳＩＺＥと貯蔵している以前のＥＰ＿ＳＩＺＥを比較する。
(Ｂ−１) 現在ＥＰ＿ＳＩＺＥと以前ＥＰ＿ＳＩＺＥが同一ではない場合に、無線端末は、受信サブパケットを初期伝送サブパケットとして判断する。
(Ｂ−２) 現在ＥＰ＿ＳＩＺＥと以前ＥＰ＿ＳＩＺＥが同一である場合に、無線端末は、以前にＲ−ＡＣＫＣＨを通じて伝送した応答がＡＣＫであるかまたはＮＡＫであるかを検査する。以前にＡＣＫを伝送したら、無線端末が初期伝送サブパケットを待機している場合であり、以前にＮＡＫを伝送したら、無線端末が再伝送サブパケットを待機している場合を表示することである。初期伝送サブパケットを待機しているが、ＡＩ＿ＳＮ及び以前のＡＩ＿ＳＮが同一であることは、Ｒ−ＡＣＫＣＨにエラーが発生した非正常的な状況であることを暗示し、再伝送サブパケットを待機しているが、ＡＩ＿ＳＮ及び以前のＡＩ＿ＳＮが同一であることは、Ｒ−ＡＣＫＣＨにエラーがない正常的な状況であることを暗示する。
【０１２４】
一方、非正常的状況、すなわち、再伝送サブパケットを待機しているときに現在ＡＩ＿ＳＮ及び以前のＡＩ＿ＳＮが同一の場合に、無線端末は、受信サブパケットを初期伝送サブパケットと判断し、これに相応する処理過程を踏むことが理想的であるが、実際に、無線端末は、Ｒ−ＡＣＫＣＨにエラーがない正常的な状況で認識して現在の受信サブパケットを再伝送サブパケットとして判断する。
【０１２５】
ただ、図４Ｅで符号化パケットＣのサイズ(ＥＰ＿ＳＩＺＥ)が符号化パケットＡのサイズ(以前のＥＰ＿ＳＩＺＥ)と異なると、無線端末は、現在の受信サブパケットを前記(Ｂ−１)によってすでに初期伝送サブパケットとして判断する。しかも、図４Ｅのような事件が発生する確率が非常に低いので、ＥＰ＿ＳＩＺＥと以前のＥＰ＿ＳＩＺＥとの比較を通じても検出されない初期伝送サブパケットはほぼないと見ることができる。従って、この場合には、下記２種類のような判断が可能である。
【０１２６】
(ａ) 以前応答がＮＡＫである場合に、無線端末は、受信サブパケットを再伝送サブパケットとして判断する。
(ｂ) 以前応答がＡＣＫである場合に、端末機は、受信したＳＰ＿ＩＤが０であるか否かを検査する。
【０１２７】
現在ＡＩ＿ＳＮ及び貯蔵している以前のＡＩ＿ＳＮが同一であり、以前応答がＡＣＫである非正常的な状況であることを認識しても、無線端末は、どんな種類のエラーがＲ−ＡＣＫＣＨに発生したか否かを分からないので、受信サブパケットが人為的なＡＣＫが必要な再伝送サブパケットであるかまたは初期伝送サブパケットであるかを区分することができない。ＥＰ＿ＳＩＺＥの比較によっても判断できない初期伝送サブパケットは、ＳＰ＿ＩＤによって検出されることができる。しかし、時々に再伝送サブパケットのうちでもＳＰＩＤ＝０を有する場合が発生することができるので、ＳＰ＿ＩＤが０である場合をすべて初期伝送サブパケットとして判断すると、人為的なＡＣＫが必要な再伝送サブパケットを初期伝送サブパケットとして誤って判断する場合が発生することができる。 
【０１２８】
ＳＰ＿ＩＤが０ではない場合に無線端末は、受信されたサブパケットを復号せず、Ｒ−ＡＣＫＣＨを通じて人為的なＡＣＫを伝送することが一番理想的である。しかし、一般的な初期伝送サブパケットなく、再伝送サブパケットのみで再伝送関連復号処理を通じても符号化パケットの復号に成功することができることは、前述したようである。従って、本発明では、人為的なＡＣＫが必要な再伝送サブパケット及び一般的なサブパケットの区別は別途にしない。
【０１２９】
図１５は、本発明の好適な実施例に従う無線端末の自動再伝送動作を示すフローチャートである。下記のステップは、図８、図１０、及び図１２で説明したＦ−ＳＰＤＣＣＨの復号及びＭＡＣ＿ＩＤの比較が行われた後から遂行される。図１５を参照すると、無線端末が貯蔵されている以前 ＡＩ＿ＳＮ及び現在受信されたＡＩ＿ＳＮを比較して同一の符号化パケットが受信されたか否かを検査する(ステップ９１０)。前記同一ではない符号化パケットが受信された場合には、初期伝送関連復号処理を遂行する。すなわち、無線端末は、ＡＲＱバッファを一掃し、Ｆ−ＰＤＣＨに受信された初期サブパケットを復号して符号化パケットを獲得した後に、前記符号化パケットでエラーが検出されなければ、ＡＣＫを伝送し、エラーが検出されるとＮＡＫを伝送する。ＮＡＫの伝送のときに、前記初期サブパケットは、前記ＡＲＱバッファに貯蔵される。
【０１３０】
ステップ９１０の検査結果、前記ＡＩ＿ＳＮが同一の場合に無線端末は、ステップ９２０に進行して、以前に受信されたＥＰ＿ＳＩＺＥと現在受信されたＥＰ＿ＳＩＺＥが同一であるか否かを検査する。前記２つのＥＰ＿ＳＩＺＥが同一ではない場合に、無線端末は、新たな符号化パケットが受信されたものと判断して、初期伝送関連復号処理９７０を遂行する。
【０１３１】
反面、前記ＥＰ＿ＳＩＺＥが同一の場合に、無線端末は、ステップ９３０に進行して以前にＲ−ＡＣＫＣＨを通じて伝送した応答がＡＣＫであるか否かを検査する。以前にＮＡＫを伝送した場合に、無線端末は、ステップ９５０に進行して再伝送関連復号処理を遂行する。すなわち、無線端末は、Ｆ−ＰＤＣＨの受信サブパケットをＡＲＱバッファにすでに貯蔵されているサブパケットと結合し、前記結合されたサブパケットを復号して符号化パケットを獲得した後に、前記符号化パケットでエラーが検出されなければ、ＡＣＫを伝送し、エラーが検出されると、ＮＡＫを伝送する。ＮＡＫの伝送のときに前記結合されたサブパケットは、前記ＡＲＱバッファに貯蔵される。ただ、同一の符号化パケットに対する受信回数が予め定められた最大受信回数に到達すると、無線端末は、前記符号化パケットの受信を中断し、前記ＡＲＱバッファを一掃する。
【０１３２】
ステップ９３０で、以前応答がＡＣＫであるものと判断された場合に、無線端末は、現在受信されたＳＰ＿ＩＤが０であるか否かを検査する。前記ＳＰ＿ＩＤが０である場合に、無線端末は、ステップ９７０に進行して初期伝送処理を遂行し、そうではない場合に、ステップ９５０に進行して再伝送関連復号処理を遂行する。
【０１３３】
このように初期伝送または再伝送に従う処理(ステップ９５０またはステップ９７０)を遂行した後に、無線端末は、ステップ９６０に進行して現在受信された制御情報、すなわち、ＡＩ＿ＳＮ、ＥＰ＿ＳＩＺＥ、及びＡＣＫ／ＮＡＫの応答を貯蔵する。
【０１３４】
以上、本発明の詳細について具体的な実施形態に基づき説明してきたが、本発明の範囲を逸脱しない限り、各種の変形が可能なのは明らかである。従って、本発明の範囲は、上記実施形態に限るものでなく、特許請求の範囲のみならず、その範囲と均等なものにより定められるべきである。
【図面の簡単な説明】
【０１３５】
【図１】パケットデータサービスのための順方向パケットデータチャンネル(Ｆ−ＰＤＣＨ)送信器の簡略化した構造を示す図。
【図２】図１に示している送信器に対応したＦ−ＰＤＣＨ受信器の簡略化された構造を示している図。
【図３】典型的なＡＲＱ処理のための上位階層と物理階層との間の関係を示すブロック図。
【図４】改善された構造のＨ−ＡＲＱ処理のための上位階層と物理階層との間の関係を示すブロック図。
【図５】本発明の好適な実施例に従う無線端末の階層的構成を示すブロック図。
【図６】典型的な三状検出方式を使用する基地局でＨ−ＡＲＱ応答を検出する動作を示すフローチャート。
【図７】本発明の一実施例に従ってＭＡＣ＿ＩＤ、ＡＲＱ＿ＩＤ、 ＳＰ＿ＩＤ、及びＥＰ＿ＳＩＺＥを利用した基地局の自動再伝送動作を示すフローチャート。
【図８】本発明の他の実施例に従ってＭＡＣ＿ＩＤ、ＡＲＱ＿ＩＤ、ＳＰ＿ＩＤ、及びＥＰ＿ＳＩＺＥを利用した無線端末の自動再伝送動作を示すフローチャート。
【図９】本発明のまた他の実施例に従ってＭＡＣ＿ＩＤ、ＡＲＱ＿ＩＤ、ＳＰ＿ＩＤ、ＥＰ＿ＳＩＺＥ、及びＡＩ＿ＳＮを利用した基地局の自動再伝送動作を示すフローチャート。
【図１０】本発明のまた他の実施例に従ってＭＡＣ＿ＩＤ、ＡＲＱ＿ＩＤ、ＳＰ＿ＩＤ、ＥＰ＿ＳＩＺＥ、及びＡＩ＿ＳＮを利用した無線端末の自動再伝送動作を示すフローチャート。
【図１１】本発明のまた他の実施例に従う基地局の自動再伝送動作を示すフローチャート。
【図１２】本発明のまた他の実施例に従う無線端末の自動再伝送動作を示すフローチャート。
【図１３Ａ】複合再伝送プロトコルに従う正常的な状況の信号フロー図。
【図１３Ｂ】複合再伝送プロトコルに従う正常的な状況の信号フロー図。
【図１３Ｃ】複合再伝送プロトコルに従う正常的な状況の信号フロー図。
【図１３Ｄ】複合再伝送プロトコルに従う正常的な状況の信号フロー図。
【図１４Ａ】複合再伝送プロトコルに従う非正常的な状況の信号フロー図。
【図１４Ｂ】複合再伝送プロトコルに従う非正常的な状況の信号フロー図。
【図１４Ｃ】複合再伝送プロトコルに従う非正常的な状況の信号フロー図。
【図１４Ｄ】複合再伝送プロトコルに従う非正常的な状況の信号フロー図。
【図１４Ｅ】複合再伝送プロトコルに従う非正常的な状況の信号フロー図。
【図１５】本発明の好適な実施例に従う無線端末の自動再伝送動作を示すフローチャート。
【符号の説明】
【０１３６】
１０      ＣＲＣ追加器
１１      チャンネル符号化器
１２      レートマッチング器
１３      インターリーバ
１４      変調器
２０      復調器
２１      デインターリーバ
２２      結合器
２３      チャンネル復号化器
２４      ＣＲＣ検査器
２６      ＡＲＱバッファ
【図１】
2005523669.tif 000003
【図２】
2005523669.tif 000004
【図３】
2005523669.tif 000005
【図４】
2005523669.tif 000006
【図５】
2005523669.tif 000007
【図６】
2005523669.tif 000008
【図７】
2005523669.tif 000009
【図８】
2005523669.tif 000010
【図９】
2005523669.tif 000011
【図１０】
2005523669.tif 000012
【図１１】
2005523669.tif 000013
【図１２】
2005523669.tif 000014
【図１３Ａ】
2005523669.tif 000015
【図１３Ｂ】
2005523669.tif 000016
【図１３Ｃ】
2005523669.tif 000017
【図１３Ｄ】
2005523669.tif 000018
【図１４Ａ】
2005523669.tif 000019
【図１４Ｂ】
2005523669.tif 000020
【図１４Ｃ】
2005523669.tif 000021
【図１４Ｄ】
2005523669.tif 000022
【図１４Ｅ】
2005523669.tif 000023
【図１５】
2005523669.tif 000024
【国際調査報告】
2005523669.tif 000025
2005523669.tif 000026